(57)【特許請求の範囲】
【請求項１】
ページング方法であって、
コアネットワークデバイスが、同期化機会が到来するということを決定する場合に、前記コアネットワークデバイスによって基準フレーム情報を決定するステップであって、前記基準フレーム情報は、無線フレーム番号を含む、ステップと、
前記コアネットワークデバイスによって、ページングエリアの中の基地局に前記基準フレーム情報を送信し、それによって、前記基地局は、前記基準フレーム情報に従って前記基地局における無線フレームを同期化する、ステップと、
接続されている状態にあるUEが送信する前記UEのeDRXサイクルを前記コアネットワークデバイスによって受信し、前記eDRXサイクルに従って前記UEのページングフレーム(PF)及びページング機会(PO)を計算するステップと、
前記UEのためのダウンリンクデータが着信し、前記UEがアイドル状態にある場合に、前記PF及び前記POによって示されるページングの時点の前に、前記コアネットワークデバイスによって前記基地局にページングメッセージを送信し、それによって、前記基地局は、前記UEに前記ページングメッセージを送信する、ステップと、を含む、
方法。
【請求項２】
前記コアネットワークデバイスが、同期化機会が到来するということを決定することは、
前記ページングエリアの中の新たな基地局が前記コアネットワークデバイスに接続しているということを前記コアネットワークデバイスによって決定するステップ、又は、
前記ページングエリアの中の基地局が再始動してから前記コアネットワークデバイスに再接続するということを前記コアネットワークデバイスによって決定するステップ、又は、
各々の同期化サイクルの同期化の時点が到来するということを前記コアネットワークデバイスによって決定するステップ、又は、
前記ページングエリアの中の少なくとも1つの基地局が送信した同期化要求メッセージを前記コアネットワークデバイスによって受信するステップ、を含む、請求項１に記載の方法。
【請求項３】
コアネットワークデバイスによって基準フレーム情報を決定するステップは、
前記コアネットワークデバイスによって、最初の無線フレーム番号をあらかじめ格納するステップと、
前記コアネットワークデバイスによって、現在の時間と最初の時点との間の絶対時間偏差を計算するステップであって、前記最初の時点は、前記無線フレーム番号によって示されている無線フレームの最初の時点である、ステップと、
前記コアネットワークデバイスによって、前記基準フレーム情報として前記絶対時間偏差及び前記最初の無線フレーム番号を決定するステップと、を含む、請求項１又は２に記載の方法。
【請求項４】
前記コアネットワークデバイスによって、基地局に前記基準フレーム情報を送信するステップの後に、当該方法は、
前記基地局が前記基準フレーム情報を受信した後に、前記基地局が送信する受信確認応答メッセージを前記コアネットワークデバイスによって受信するステップをさらに含む、請求項１から３のいずれか１項に記載の方法。
【請求項５】
ページング方法であって、
コアネットワークデバイスが送信した基準フレーム情報を基地局によって受信するステップであって、前記基準フレーム情報は、無線フレーム番号を含む、ステップと、
前記基準フレーム情報に従って前記基地局における無線フレームを前記基地局によって同期化するステップと、
UEのためのダウンリンクデータが着信し、前記UEが接続されている状態からアイドル状態へと切り替わる場合に、前記UEのページングフレーム(PF)及びページング機会(PO)によって示されるページングの時点の前に、前記コアネットワークデバイスが送信したページングメッセージを前記基地局によって受信し、それによって、前記基地局は、前記UEに前記ページングメッセージを送信する、ステップと、を含み、
前記UEの前記ページングフレーム(PF)及び前記ページング機会(PO)は、接続されている状態にある前記UEが前記コアネットワークデバイスへと送信する前記UEのeDRXサイクルに従って、前記コアネットワークデバイスにおいて計算される、
方法。
【請求項６】
前記基準フレーム情報に従って前記基地局における無線フレームを前記基地局によって同期化するステップは、
絶対時間偏差及び1つの無線フレームの長さに従って、前記基地局によって、前記絶対時間偏差に含まれている無線フレームの数及び剰余時間偏差を計算するステップと、
前記剰余時間偏差及び1つのサブフレームの長さに従って、前記基地局によって、前記剰余時間偏差に含まれているサブフレームの数を計算するステップと、
前記基地局によって、最初の無線フレーム番号及び無線フレームの前記数を加算して、現在の無線フレームのフレーム番号を取得し、そして、サブフレームの前記数に従って前記現在の無線フレームの中の現在のサブフレームのサブフレーム番号を決定するステップと、を含む、請求項５に記載の方法。
【請求項７】
前記基準フレーム情報に従って前記基地局における無線フレームを前記基地局によって同期化するステップは、
前記基地局によって、前記基準フレーム情報の中で搬送される前記無線フレーム番号へと、前記基地局における現在の無線フレームのフレーム番号を更新するステップを含む、請求項６に記載の方法。
【請求項８】
コアネットワークデバイスであって、
同期化機会が到来するということを決定する場合に、当該コアネットワークデバイスによって基準フレーム情報を決定するように構成されるプロセッサであって、前記基準フレーム情報は、無線フレーム番号を含む、プロセッサと、
ページングエリアの中の基地局に、前記プロセッサが決定した前記基準フレーム情報を送信するように構成され、それによって、前記基地局は、前記基準フレーム情報に従って前記基地局における無線フレームを同期化する、送信機と、を含み、
前記プロセッサは、さらに、接続されている状態にあるUEが送信する前記UEのeDRXサイクルを受信し、前記eDRXサイクルに従って前記UEのページングフレーム(PF)及びページング機会(PO)を計算する、ように構成され、
前記UEのためのダウンリンクデータが着信し、前記UEがアイドル状態にある場合に、前記送信機は、さらに、前記PF及び前記POによって示されるページングの時点の前に、前記基地局にページングメッセージを送信するように構成され、それによって、前記基地局は、前記UEに前記ページングメッセージを送信する、
コアネットワークデバイス。
【請求項９】
前記プロセッサは、
前記ページングエリアの中の新たな基地局が当該コアネットワークデバイスに接続しているということを決定する、又は、
前記ページングエリアの中の基地局が再始動してから当該コアネットワークデバイスに再接続するということを決定する、又は、
各々の同期化サイクルの同期化の時点が到来するということを決定する、又は、
前記ページングエリアの中の少なくとも1つの基地局が送信した同期化要求メッセージを受信する、ように構成される、請求項８に記載のコアネットワークデバイス。
【請求項１０】
前記プロセッサは、
最初の無線フレーム番号をあらかじめ格納し、
現在の時間と最初の時点との間の絶対時間偏差を計算し、前記最初の時点は、前記無線フレーム番号によって示されている無線フレームの最初の時点であり、
前記基準フレーム情報として前記絶対時間偏差及び前記最初の無線フレーム番号を決定する、ように構成される、請求項８又は９に記載のコアネットワークデバイス。
【請求項１１】
基地局であって、
コアネットワークデバイスが送信した基準フレーム情報を受信するように構成される受信機であって、前記基準フレーム情報は、無線フレーム番号を含む、受信機と、
前記受信機が受信した前記基準フレーム情報に従って、前記基地局における無線フレームを同期化するように構成されるプロセッサと、を含むみ、
UEのためのダウンリンクデータが着信し、前記UEが接続されている状態からアイドル状態へと切り替わる場合に、前記受信機は、さらに、前記UEのページングフレーム(PF)及びページング機会(PO)によって示されるページングの時点の前に、前記コアネットワークデバイスが送信したページングメッセージを受信するように構成され、それによって、前記基地局は、前記UEに前記ページングメッセージを送信し、
前記UEの前記ページングフレーム(PF)及び前記ページング機会(PO)は、接続されている状態にある前記UEが前記コアネットワークデバイスへと送信する前記UEのeDRXサイクルに従って、前記コアネットワークデバイスにおいて計算される、
基地局。
【請求項１２】
前記プロセッサは、
絶対時間偏差及び1つの無線フレームの長さに従って、前記絶対時間偏差に含まれている無線フレームの数及び剰余時間偏差を計算し、
前記剰余時間偏差及び1つのサブフレームの長さに従って、前記剰余時間偏差に含まれているサブフレームの数を計算し、
最初の無線フレーム番号及び無線フレームの前記数を加算して、現在の無線フレームのフレーム番号を取得し、そして、サブフレームの前記数に従って、前記現在の無線フレームの中の現在のサブフレームのサブフレーム番号を決定する、ように構成される、請求項１１に記載の基地局。
【請求項１３】
前記プロセッサは、
前記基準フレーム情報の中で搬送される前記無線フレーム番号へと、当該基地局における現在の無線フレームのフレーム番号を更新するように構成される、請求項１１に記載の基地局。
【請求項１４】
前記基準フレーム情報は、サブフレーム番号をさらに含み、前記プロセッサは、
前記基準フレーム情報の中で搬送される前記無線フレーム番号へと、当該基地局における現在の無線フレームのフレーム番号を更新し、前記基準フレーム情報の中で搬送される前記サブフレーム番号へと、当該基地局における前記現在の無線フレームのサブフレーム番号を更新する、ように構成される、請求項１１に記載の基地局。
【請求項１５】
コンピュータ実行可能な命令を含むコンピュータプログラムであって、前記コンピュータ実行可能な命令は、コアネットワークデバイスのプロセッサで実行されると、
前記コアネットワークデバイスが、同期化機会が到来するということを決定する場合に、前記コアネットワークデバイスによって基準フレーム情報を決定するステップであって、前記基準フレーム情報は、無線フレーム番号を含む、ステップと、
前記コアネットワークデバイスによって、ページングエリアの中の基地局に前記基準フレーム情報を送信し、それによって、前記基地局は、前記基準フレーム情報に従って前記基地局における無線フレームを同期化する、ステップと、
接続されている状態にあるUEが送信する前記UEのeDRXサイクルを前記コアネットワークデバイスによって受信し、前記eDRXサイクルに従って前記UEのページングフレーム(PF)及びページング機会(PO)を計算するステップと、
前記UEのためのダウンリンクデータが着信し、前記UEがアイドル状態にある場合に、前記PF及び前記POによって示されるページングの時点の前に、前記コアネットワークデバイスによって前記基地局にページングメッセージを送信し、それによって、前記基地局は、前記UEに前記ページングメッセージを送信する、ステップと、を含む、ページング方法を前記コアネットワークデバイスに実行させる、
コンピュータプログラム。
【請求項１６】
コンピュータ実行可能な命令を含むコンピュータプログラムであって、前記コンピュータ実行可能な命令は、基地局のプロセッサで実行されると、
コアネットワークデバイスが送信した基準フレーム情報を前記基地局によって受信するステップであって、前記基準フレーム情報は、無線フレーム番号を含む、ステップと、
前記基準フレーム情報に従って前記基地局における無線フレームを前記基地局によって同期化するステップと、
UEのためのダウンリンクデータが着信し、前記UEが接続されている状態からアイドル状態へと切り替わる場合に、前記UEのページングフレーム(PF)及びページング機会(PO)によって示されるページングの時点の前に、前記コアネットワークデバイスが送信したページングメッセージを前記基地局によって受信し、それによって、前記基地局は、前記UEに前記ページングメッセージを送信する、ステップと、を含み、
前記UEの前記ページングフレーム(PF)及び前記ページング機会(PO)は、接続されている状態にある前記UEが前記コアネットワークデバイスへと送信する前記UEのeDRXサイクルに従って、前記コアネットワークデバイスにおいて計算される、ページング方法を前記基地局に実行させる、
コンピュータプログラム。
【発明の詳細な説明】
【技術分野】
【０００１】
本発明は、通信技術の分野に関し、特に、ページング(Paging)方法、ユーザ機器、基地局、及びコアネットワークデバイスに関する。
【背景技術】
【０００２】
マシンツーマシン(M2M,  Machine−to−Machine)、すなわち、無線ネットワークを介したマシンどうしの間における情報及びデータのやり取り、及びは、モバイル通信の次なる段階の発展にとって重要な動向である。M2Mは、インテリジェントな交通、建造物制御システム、スマートホーム制御システム、ビデオ監視システム、工業用モニタリングなどを含む多くの分野に広く適用されている。
【０００３】
M2Mシステムにおいては、コアネットワークの中のダウンリンクデータがユーザ機器(UE,  User  Equipment)に送信される必要がある場合には、コアネットワークデバイスは、ページングタイマーを始動し、ページングエリアの中の各々の基地局に、UE識別子(ID)を搬送するページングメッセージを送信する。そのページングメッセージを受信しているときに、ページングエリアの中の基地局は、そのページングメッセージの中で搬送されるUE識別子に従って、エアインターフェースにおけるそのUE識別子に対応するUEの最も近いページング機会(PO,  Paging  occasion)を計算し、そのPOが到来したときに、そのUE識別子に対応するUEにページングメッセージを送信する。そのUE識別子に対応するUEは、ページングメッセージを受信した後にランダムアクセスプロセスを開始して、基地局及びコアネットワークへの接続を確立する。そのネットワークにUEがアクセスした後に、そのコアネットワークを介してそのUEにダウンリンクデータが送信される。ページングの時点は、ページングスーパーフレーム(PSF,  Paging  Super  frame)及びPOに依存する。
【０００４】
アイドル状態にあるUEの電力を節約するために、拡張不連続受信(eDRX,  Extended  Discontinuous  Reception)メカニズムが、M2Mシステムに導入されている。アイドル状態にあるUEは、eDRX様式でページングチャネルにおいてリッスンを行う。すなわち、そのUEは、各々のeDRXアクティブ期間のページングの時点が到来したときにのみページングチャネルにおいてリッスンを行う。リッスンを行うことによってページングメッセージが得られない場合には、UEは、スリープ状態に入り、次のページングの時点が到来したときに目覚めて、ページングチャネルにおいてリッスンを行う。このようにして、UEの電力消費が低減される。具体的には、UEは、UE−specificのeDRXサイクルを保持し、UEは、NASメッセージを使用することによって、又は別の様式で、コアネットワークデバイスにそのeDRXサイクルを報告する。ページングメッセージを配信する際に、コアネットワークデバイスは、そのページングメッセージにeDRXサイクル及びUE識別子等の情報を付加し、基地局にそのページングメッセージを配信する。基地局は、その情報に従ってUEのページングスーパーフレーム(PSF,  Paging  Super  frame)及びPOを計算し、そのPSF及びPOによって示されるページングの時点においてページングメッセージを送信する。UEは、そのUEのeDRXサイクル及びUE識別子等の情報に従ってPSF及びPOを計算し、そのPSF及びPOによって示されるページングの時点においてページングメッセージを受信する。UEによって計算されるPSF及びPOは、各々の基地局によって計算されるPSF及びPOと同じである必要がある。PSFは、POを有しているスーパーフレームであり、そのPOは、そのページングスーパーフレームの中にあってページングメッセージを有しているフレームである。
【０００５】
本発明者らは、既存のページング方法が次の問題を有しているということを見出している。すなわち、UEのモビリティーを考慮すると、アイドル状態にあるUEが、複数の異なるセルの間を移動している場合には、そのUEは、現在のセルのページングの時点が到来する前にセル再選択を実行することがあり、新たなセルが再選択され、再選択が完了されたときには、その新たなセルのページングの時点は過ぎてしまっている。したがって、そのUEは、現在のセルのページングの時点を逃し、新たなセルのページングの時点も逃す。セル再選択の後には、そのUEは、次のeDRXサイクルのページングの時点が到来したときにのみページングメッセージを受信することが可能である。M2Mシステムにおいては、eDRXサイクルは長く、最大で1時間或いは複数時間にまでなる場合がある。新たなセルが再選択された後に、UEは、次のページングの時点が到来する前に、ほぼ1eDRXサイクルを待つ必要がある場合がある。比較的長い時間の待機に起因して、UEは、この時間的な期間内に再びセル再選択を実行する可能性が極めて高く、現在のセルの来たるページングの時点も逃す。新たなセルが再選択された後に、UEは、その新たなセルのページングの時点を逃す場合もある、といった具合である。UEが移動し続けている場合には、待機中にセル再選択が継続的に発生する可能性がある。したがって、UEは、ページングの時点を取得することに繰り返し失敗し、ページングメッセージを受信することができない。
【発明の概要】
【０００６】
本発明の複数の実施形態は、ページング方法、UE、基地局、及びコアネットワークデバイスを提供して、UEがページングメッセージを求めてリッスンを行うことができないという問題を軽減する。
【０００７】
上記の技術的な問題を解決するために、本発明の複数の実施形態は、次の技術的解決法を開示する。
【０００８】
第1の態様によれば、本発明の1つの実施形態は、ページング方法であって、
コアネットワークデバイスが、同期化機会が到来するということを決定する場合に、前記コアネットワークデバイスによって基準フレーム情報を決定するステップであって、前記基準フレーム情報は、無線フレーム番号を含む、ステップと、
前記コアネットワークデバイスによって、ページングエリアの中の基地局に前記基準フレーム情報を送信し、それによって、前記基地局は、前記基準フレーム情報に従って前記基地局における無線フレームを同期化する、ステップと、を含むページング方法を提供する。
【０００９】
第1の態様に関連して、第1の態様の第1の可能な実装方法において、前記コアネットワークデバイスが、同期化機会が到来するということを決定することは、
前記ページングエリアの中の新たな基地局が前記コアネットワークデバイスに接続しているということを前記コアネットワークデバイスによって決定するステップ、又は、
前記ページングエリアの中の基地局が再始動してから前記コアネットワークデバイスに再接続するということを前記コアネットワークデバイスによって決定するステップ、又は、
各々の同期化サイクルの同期化の時点が到来するということを前記コアネットワークデバイスによって決定するステップ、又は、
前記ページングエリアの中の少なくとも1つの基地局が送信した同期化要求メッセージを前記コアネットワークデバイスによって受信するステップ、を含む。
【００１０】
第1の態様、及び/又は第1の態様の第1の可能な実装方法に関連して、第1の態様の第2の可能な実装方法において、コアネットワークデバイスによって基準フレーム情報を決定するステップは、
前記コアネットワークデバイスによって、最初の無線フレーム番号をあらかじめ格納するステップと、
前記コアネットワークデバイスによって、現在の時間と最初の時点との間の絶対時間偏差を計算するステップであって、前記最初の時点は、前記無線フレーム番号によって示されている無線フレームの最初の時点である、ステップと、
前記コアネットワークデバイスによって、前記基準フレーム情報として前記絶対時間偏差及び前記最初の無線フレーム番号を決定するステップと、を含む。
【００１１】
第1の態様、及び/又は第1の態様の第1の可能な実装方法に関連して、第1の態様の第3の可能な実装方法において、コアネットワークデバイスによって基準フレーム情報を決定するステップは、
前記コアネットワークデバイスによって、最初の無線フレーム番号をあらかじめ格納するステップと、
前記コアネットワークデバイスによって、1つの無線フレームの時間的な長さに従って、前記コアネットワークデバイスの現在の無線フレームのフレーム番号へと、前記格納されている無線フレーム番号を継続的に更新するステップと、
前記コアネットワークデバイスによって、前記コアネットワークデバイスの中に格納されている前記無線フレーム番号を読み取るステップと、を含む。
【００１２】
第1の態様、及び/又は第1の態様の第1の可能な実装方法に関連して、第1の態様の第4の可能な実装方法において、前記基準フレーム情報は、サブフレーム番号をさらに含み、コアネットワークデバイスによって、基準フレーム情報を決定するステップは、
前記コアネットワークデバイスによって、最初の無線フレーム番号及びサブフレーム番号をあらかじめ格納するステップと、
前記コアネットワークデバイスによって、システムページングフレーム及びサブフレームの時間的な長さに従って、現在の無線フレームのフレーム番号へと、前記格納されている無線フレーム番号を継続的に更新し、前記現在の無線フレームの中の現在のサブフレームのサブフレーム番号へと、前記格納されているサブフレーム番号を継続的に更新するステップと、
前記コアネットワークデバイスによって、前記コアネットワークデバイスの中に格納されている前記無線フレーム番号及び前記サブフレーム番号を読み取るステップと、を含む。
【００１３】
第1の態様、及び/又は第1の態様の第1の可能な実装方法に関連して、第1の態様の第5の可能な実装方法において、コアネットワークデバイスによって、基準フレーム情報を決定するステップは、
第1の基地局が送信する前記第1の基地局のフレーム情報を前記コアネットワークデバイスによって受信し、前記基準フレーム情報として前記第1の基地局の前記フレーム情報を決定するステップを含み、
前記フレーム情報は、前記第1の基地局が前記フレーム情報を送信したときの前記第1の基地局の無線フレーム番号を含み、前記第1の基地局は、前記ページングエリアの中の基地局である。
【００１４】
第1の態様、及び/又は第1の態様の第1の可能な実装方法に関連して、第1の態様の第6の可能な実装方法において、コアネットワークデバイスによって、基準フレーム情報を決定するステップは、
第1の基地局が送信する前記第1の基地局のフレーム情報を前記コアネットワークデバイスによって受信し、前記基準フレーム情報として前記第1の基地局の前記フレーム情報を決定するステップを含み、
前記フレーム情報は、前記第1の基地局が前記フレーム情報を送信したときの前記第1の基地局の無線フレーム番号及びサブフレーム番号を含み、前記第1の基地局は、前記ページングエリアの中の基地局である。
【００１５】
第1の態様の第5の可能な実装方法、及び/又は第1の態様の第6の可能な実装方法に関連して、第1の態様の第7の可能な実装方法において、コアネットワークデバイスによって、基準フレーム情報を決定するステップは、
前記第1の基地局の前記フレーム情報を受信する前に、前記コアネットワークデバイスによって前記第1の基地局にフレーム情報要求を送信するステップを含む。
【００１６】
第1の態様、及び/又は第1の態様の第1の可能な実装方法、及び/又は第1の態様の第2の可能な実装方法、及び/又は第1の態様の第3の可能な実装方法、及び/又は第1の態様の第4の可能な実装方法、及び/又は第1の態様の第5の可能な実装方法、及び/又は第1の態様の第6の可能な実装方法、及び/又は第1の態様の第7の可能な実装方法に関連して、第1の態様の第8の可能な実装方法において、前記コアネットワークデバイスによって、基地局に前記基準フレーム情報を送信するステップの後に、当該方法は、
前記基地局が前記基準フレーム情報を受信した後に、前記基地局が送信する受信確認応答メッセージを前記コアネットワークデバイスによって受信するステップをさらに含む。
【００１７】
第1の態様、及び/又は第1の態様の第1の可能な実装方法、及び/又は第1の態様の第2の可能な実装方法、及び/又は第1の態様の第3の可能な実装方法、及び/又は第1の態様の第4の可能な実装方法、及び/又は第1の態様の第5の可能な実装方法、及び/又は第1の態様の第6の可能な実装方法、及び/又は第1の態様の第7の可能な実装方法、及び/又は第1の態様の第8の可能な実装方法に関連して、第1の態様の第9の可能な実装方法において、当該方法は、
接続されている状態にあるUEが送信する前記UEのeDRXサイクルを前記コアネットワークデバイスによって受信し、前記eDRXサイクルに従って前記UEのPF及びPOを計算するステップと、
前記UEのためのダウンリンクデータが着信し、前記UEがアイドル状態にある場合には、前記PF及び前記POによって示されるページングの時点の前に、前記コアネットワークデバイスによって前記基地局にページングメッセージを送信し、それによって、前記基地局は、前記UEに前記ページングメッセージを送信する、ステップと、をさらに含む。
【００１８】
第1の態様の第9の可能な実装方法に関連して、第1の態様の第10の可能な実装方法において、前記コアネットワークデバイスが前記基地局に前記ページングメッセージを送信する時点は、前記PF及び前記POが計算される時点と前記ページングの時点との間に存在し、前記ページングの時点により近い。
【００１９】
第1の態様、及び/又は第1の態様の第1の可能な実装方法、及び/又は第1の態様の第2の可能な実装方法、及び/又は第1の態様の第3の可能な実装方法、及び/又は第1の態様の第4の可能な実装方法、及び/又は第1の態様の第5の可能な実装方法、及び/又は第1の態様の第6の可能な実装方法、及び/又は第1の態様の第7の可能な実装方法、及び/又は第1の態様の第8の可能な実装方法に関連して、第1の態様の第11の可能な実装方法において、当該方法は、
接続されている状態にあるUEが送信する前記UEのeDRXサイクルを前記コアネットワークデバイスによって受信するステップと、
前記UEのためのダウンリンクデータが着信し、前記UEがアイドル状態にある場合に、前記コアネットワークデバイスによって前記基地局にページングメッセージを送信するステップであって、前記ページングメッセージは、前記UEの前記eDRXサイクルを含む、ステップと、
前記基地局が送信した第1の時間間隔を前記コアネットワークデバイスによって受信するステップであって、前記基地局が、前記eDRXサイクルに従って前記UEのPF及びPOを計算し、前記UEの前記PF及び前記POによって示されるページングの時点と現在の時間との間の時間間隔があらかじめ設定された時間しきい値と比較してより大きく、かつ、前記第1の時間間隔が、前記UEの前記ページングの時点と前記現在の時間との間の前記時間間隔と比較してより小さいか又は等しいということを決定した場合に、前記第1の時間間隔は前記基地局によって送信される、ステップと、
前記受信した第1の時間間隔に従って、前記コアネットワークデバイスによって前記基地局にページングメッセージを送信するステップと、をさらに含む。
【００２０】
第1の態様の第11の可能な実装方法に関連して、第1の態様の第12の可能な実装方法において、前記受信した第1の時間間隔に従って、前記コアネットワークデバイスによって前記基地局にページングメッセージを送信するステップは、
各々の基地局について、前記基地局の第1の時間間隔の後に、前記基地局が送信した前記第1の時間間隔に従って、前記コアネットワークデバイスによって前記基地局にページングメッセージを送信するステップ、又は、
前記コアネットワークデバイスによって、複数の基地局が送信した複数の第1の時間間隔から最小の第1の時間間隔を選択し、前記最小の第1の時間間隔の後に前記複数の基地局にページングメッセージを送信するステップを含む。
【００２１】
第1の態様の第11の可能な実装方法に関連して、第1の態様の第13の可能な実装方法において、前記コアネットワークデバイスによって前記基地局にページングメッセージを送信するステップは、
前記UEが前記接続されている状態から前記アイドル状態へと切り替わった後に、前記UEのためのページングメッセージがまだ送信されていないということを決定した場合に、前記コアネットワークデバイスによって前記基地局に前記ページングメッセージを直ちに送信するステップ、又は、
前記UEが前記接続されている状態から前記アイドル状態へと切り替わった後に、前記UEのためのページングメッセージがすでに送信されているということを決定した場合に、前記UEのための最後のページングメッセージが送信される時間及び前記UEの前記eDRXサイクルに従って、現在のページングメッセージを送信するための時間を前記コアネットワークデバイスによって決定し、前記現在のページングメッセージを送信するための前記時間が到来したときに、前記基地局に前記ページングメッセージを送信するステップを含む。
【００２２】
第1の態様の第11の可能な実装方法に関連して、第1の態様の第14の可能な実装方法において、前記コアネットワークデバイスによって前記基地局にページングメッセージを送信するステップは、
前記UEが前記接続されている状態から前記アイドル状態へと切り替わった後に、前記UEのためのページングメッセージがまだ送信されていないということを決定した場合に、前記コアネットワークデバイスによって前記基地局に前記ページングメッセージを直ちに送信するステップ、又は、
前記UEが前記接続されている状態から前記アイドル状態へと切り替わった後に、前記UEのためのページングメッセージがすでに送信されているということを決定した場合に、前記コアネットワークデバイスによって、あらかじめ格納されている基準送信時間及び基準時間間隔と前記UEの前記eDRXサイクルとに従って、現在のページングメッセージを送信するための時間を決定し、前記現在のページングメッセージを送信するための前記時間が到来したときに、前記コアネットワークデバイスによって前記基地局に前記ページングメッセージを送信するステップを含む。
【００２３】
第1の態様の第14の可能な実装方法に関連して、第1の態様の第15の可能な実装方法において、当該方法は、
前記コアネットワークデバイスが前記ページングメッセージを送信するたびに、前記基地局が送信した前記第1の時間間隔を受信した場合に、前記ページングメッセージが送信される時間を使用することによって、前記コアネットワークデバイスによって前記基準送信時間を更新し、前記受信した第1の時間間隔を使用することによって前記基準時間間隔を更新するステップをさらに含む。
【００２４】
第1の態様、及び/又は第1の態様の第1の可能な実装方法、及び/又は第1の態様の第2の可能な実装方法、及び/又は第1の態様の第3の可能な実装方法、及び/又は第1の態様の第4の可能な実装方法、及び/又は第1の態様の第5の可能な実装方法、及び/又は第1の態様の第6の可能な実装方法、及び/又は第1の態様の第7の可能な実装方法、及び/又は第1の態様の第8の可能な実装方法に関連して、第1の態様の第16の可能な実装方法において、当該方法は、
接続されている状態にあるUEが送信する前記UEのeDRXサイクルを前記コアネットワークデバイスによって受信するステップと、
前記UEのためのダウンリンクデータが着信し、前記UEがアイドル状態にある場合で、かつ、前記コアネットワークデバイスが、前記UEが前記接続されている状態から前記アイドル状態へと切り替わった後に、前記UEのためのページングメッセージがまだ送信されていないということを決定した場合には、前記コアネットワークデバイスによって、前記基地局に前記ページングメッセージを直ちに送信するか、又は、前記UEのためのダウンリンクデータが着信し、前記UEがアイドル状態にある場合で、かつ、前記コアネットワークデバイスが、前記UEが前記接続されている状態から前記アイドル状態へと切り替わった後に、前記UEのためのページングメッセージがすでに送信されているということを決定した場合には、前記UEのための最後のページングメッセージが送信されている時間、前記UEの前記eDRXサイクル、及び前記UEのために送信された前記最後のページングメッセージに対応する複数の第2の時間間隔に従って、前記コアネットワークデバイスによって、現在のページングメッセージを送信するための時間を決定し、前記現在のページングメッセージを送信するための前記時間が到来したときに、前記基地局に前記ページングメッセージを送信するステップと、をさらに含み、
前記UEのために送信された前記最後のページングメッセージに対応する前記複数の第2の時間間隔は、前記コアネットワークデバイスが前記UEのための前記最後のページングメッセージを送信した場合に、それに応じて複数の基地局によってフィードバックされる複数のページング応答メッセージの中で搬送される複数の第2の時間間隔であり、
前記複数の第2の時間間隔は、前記基地局によって計算される前記UEのページングの時点を前記コアネットワークデバイスに示すのに使用される。
【００２５】
第1の態様の第16の可能な実装方法に関連して、第1の態様の第17の可能な実装方法において、前記UEのための最後のページングメッセージが送信されている時間、前記UEの前記eDRXサイクル、及び前記UEのために送信された前記最後のページングメッセージに対応する複数の第2の時間間隔に従って、前記コアネットワークデバイスによって、現在のページングメッセージを送信するための時間を決定するステップは、
前記コアネットワークデバイスによって、前記複数の第2の時間間隔から、最小値を有する第2の時間間隔を選択するステップと、
式、
現在のページングメッセージを送信するための時間＝UEのための最後のページングメッセージが送信されている時間＋M＊eDRXサイクル＋最小値を有する第2の時間間隔
に従って、前記コアネットワークデバイスによって、前記現在のページングメッセージを送信するための前記時間を決定するステップと、を含み、Mは自然数である。
【００２６】
第2の態様によれば、本発明の1つの実施形態は、ページング方法であって、
コアネットワークデバイスが送信した基準フレーム情報を基地局によって受信するステップであって、前記基準フレーム情報は、無線フレーム番号を含む、ステップと、
前記基準フレーム情報に従って前記基地局における無線フレームを前記基地局によって同期化するステップと、を含むページング方法を提供する。
【００２７】
第2の態様に関連して、第2の態様の第1の可能な実装方法において、前記基準フレーム情報に従って前記基地局における無線フレームを前記基地局によって同期化するステップは、
絶対時間偏差及び1つの無線フレームの長さに従って、前記基地局によって、前記絶対時間偏差に含まれている無線フレームの数及び剰余時間偏差を計算するステップと、
前記剰余時間偏差及び1つのサブフレームの長さに従って、前記基地局によって、前記剰余時間偏差に含まれているサブフレームの数を計算するステップと、
前記基地局によって、最初の無線フレーム番号及び無線フレームの前記数を加算して、現在の無線フレームのフレーム番号を取得し、そして、サブフレームの前記数に従って前記現在の無線フレームの中の現在のサブフレームのサブフレーム番号を決定するステップと、を含む。
【００２８】
第2の態様に関連して、第2の態様の第2の可能な実装方法において、前記基準フレーム情報に従って前記基地局における無線フレームを前記基地局によって同期化するステップは、
前記基地局によって、前記基準フレーム情報の中で搬送される前記無線フレーム番号へと、前記基地局における現在の無線フレームのフレーム番号を更新するステップを含む。
【００２９】
第2の態様に関連して、第2の態様の第3の可能な実装方法において、前記基準フレーム情報は、サブフレーム番号をさらに含み、前記基準フレーム情報に従って前記基地局における無線フレームを前記基地局によって同期化するステップは、
前記基地局によって、前記基準フレーム情報の中で搬送される前記無線フレーム番号へと、前記基地局における現在の無線フレームのフレーム番号を更新し、前記基準フレーム情報の中で搬送される前記サブフレーム番号へと、前記基地局における前記現在の無線フレームのサブフレーム番号を更新するステップを含む。
【００３０】
第2の態様、及び/又は第2の態様の第1の可能な実装方法、及び/又は第2の態様の第2の可能な実装方法、及び/又は第2の態様の第3の可能な実装方法に関連して、第2の態様の第4の可能な実装方法において、当該方法は、
前記基地局によって前記コアネットワークデバイスに、前記基準フレーム情報に関する受信確認応答メッセージを送信するステップをさらに含む。
【００３１】
第2の態様、及び/又は第2の態様の第1の可能な実装方法、及び/又は第2の態様の第2の可能な実装方法、及び/又は第2の態様の第3の可能な実装方法に関連して、第2の態様の第5の可能な実装方法において、当該方法は、
前記コアネットワークデバイスが送信したページングメッセージを前記基地局によって受信するステップと、
前記基地局によって、前記ページングメッセージの中で搬送されるeDRXサイクル及びUE識別子に従って、UEのPF及びPOを計算するステップと、
前記基地局によって、前記UEの前記PF及び前記POによって示されるページングの時点において前記UEのための前記ページングメッセージを送信するステップと、をさらに含む。
【００３２】
第2の態様、及び/又は第2の態様の第1の可能な実装方法、及び/又は第2の態様の第2の可能な実装方法、及び/又は第2の態様の第3の可能な実装方法に関連して、第2の態様の第6の可能な実装方法において、当該方法は、
前記コアネットワークデバイスが送信したページングメッセージを前記基地局によって受信するステップと、
前記基地局によって、前記ページングメッセージの中で搬送されるeDRXサイクル及びUE識別子に従って、UEのPF及びPOを計算するステップと、
前記PF及び前記POによって示されるページングの時点と現在の時間との間の時間間隔が、あらかじめ設定された時間しきい値と比較してより大きいということを決定した場合には、前記基地局によって第1の時間間隔を決定し、前記コアネットワークデバイスに前記決定された第1の時間間隔を送信するステップであって、前記第1の時間間隔は、前記ページングの時点と前記現在の時間との間の前記時間間隔と比較してより小さいか又は等しい、ステップと、
前記第1の時間間隔に従って、前記コアネットワークデバイスが送信する前記UEのためのページングメッセージを前記基地局によって受信するステップと、をさらに含む。
【００３３】
第2の態様の第6の可能な実装方法に関連して、第2の態様の第7の可能な実装方法において、前記コアネットワークデバイスに前記決定された第1の時間間隔を送信するステップの前に、当該方法は、
前記基地局によって、前記受信したページングメッセージの中の推奨セルリストを取得し、前記基地局が、前記推奨セルリストにおいて挙げられているセルにサービスを提供している基地局であるということを決定するステップ、又は、
前記基地局によって、前記受信したページングメッセージの中の推奨基地局リストを取得し、前記基地局が、前記推奨基地局リストにおいて挙げられている基地局であるということを決定するステップをさらに含む。
【００３４】
第2の態様、及び/又は第2の態様の第1の可能な実装方法、及び/又は第2の態様の第2の可能な実装方法、及び/又は第2の態様の第3の可能な実装方法に関連して、第2の態様の第8の可能な実装方法において、当該方法は、
前記コアネットワークデバイスが送信したページングメッセージを前記基地局によって受信するステップと、
前記基地局によって、前記ページングメッセージの中で搬送されるeDRXサイクル及びUE識別子に従って、UEのPF及びPOを計算するステップと、
前記基地局によって、前記PF及び前記POによって示されるページングの時点と現在の時間との間の時間間隔に従って第2の時間間隔を決定し、ページング応答メッセージに前記第2の時間間隔を追加し、前記コアネットワークデバイスに前記ページング応答メッセージを送信するステップと、をさらに含み、前記第2の時間間隔は、前記PF及び前記POによって示される前記ページングの時点を前記コアネットワークデバイスに示すのに使用される。
【００３５】
第2の態様、及び/又は第2の態様の第1の可能な実装方法、及び/又は第2の態様の第2の可能な実装方法、及び/又は第2の態様の第3の可能な実装方法、及び/又は第2の態様の第4の可能な実装方法、及び/又は第2の態様の第5の可能な実装方法、及び/又は第2の態様の第6の可能な実装方法、及び/又は第2の態様の第7の可能な実装方法、及び/又は第2の態様の第8の可能な実装方法に関連して、第2の態様の第9の可能な実装方法において、コアネットワークデバイスが送信した基準フレーム情報を基地局によって受信するステップの前に、当該方法は、
最後の基準フレーム情報を受信した時点と現在の時点との間の時間が、あらかじめ設定されたサイクル値を超えているということを決定した場合には、前記基地局によって前記コアネットワークデバイスに同期化要求メッセージを送信するステップをさらに含み、前記同期化要求メッセージは、現在のフレーム情報を送信することを前記コアネットワークデバイスに要求するのに使用される。
【００３６】
第3の態様によれば、ページング方法であって、
アイドル状態に入ったときに、ユーザ機器のPF及びPOを前記ユーザ機器によって計算するステップと、
前記PF及びPOによって示されるページングの時点の前の第1の時点において目覚めて、前記ユーザ機器によって、前記ユーザ機器がセル再選択を実行するか否かを決定するステップであって、前記第1の時点と前記ページングの時点との間の時間間隔は、前記ユーザ機器が1回のセル再選択を完了するのに使用される時間と比較してより大きいか又は等しい、ステップと、
セル再選択が実行されるべきである場合に、セル再選択が完了した後に、再選択されるセルのページングチャネルにおいてページングメッセージを求めてリッスンを実行するステップ、又は、
セル再選択が実行されるべきでない場合に、現在のセルのページングチャネルにおいてページングメッセージを求めてリッスンを実行するか、又はスリープ状態に入り、前記ページングの時点において目覚め、そして、現在のセルのページングチャネルにおいてページングメッセージを求めてリッスンを実行するステップと、を含むページング方法が提供される。
【００３７】
第3の態様に関連して、第3の態様の第1の可能な実装方法において、前記第1の時点と前記ページングの時点との間の前記時間間隔は、前記ユーザ機器が1回のセル再選択を完了するのに使用される前記時間及び1つの無線フレームの時間的な長さの合計と比較してより大きいか又は等しい。
【００３８】
第4の態様によれば、本発明の1つの実施形態は、コアネットワークデバイスであって、
同期化機会が到来するということを決定する場合に、当該コアネットワークデバイスによって基準フレーム情報を決定するように構成されるプロセッサであって、前記基準フレーム情報は、無線フレーム番号を含む、プロセッサと、
ページングエリアの中の基地局に前記プロセッサが決定した前記基準フレーム情報を送信するように構成され、それによって、前記基地局は、前記基準フレーム情報に従って前記基地局における無線フレームを同期化する、送信機と、を含むコアネットワークデバイスを提供する。
【００３９】
第4の態様に関連して、第4の態様の第1の可能な実装方法において、前記プロセッサは、特に、
前記ページングエリアの中の新たな基地局が当該コアネットワークデバイスに接続しているということを決定する、又は、
前記ページングエリアの中の基地局が再始動してから当該コアネットワークデバイスに再接続するということを決定する、又は、
各々の同期化サイクルの同期化の時点が到来するということを決定する、又は、
前記ページングエリアの中の少なくとも1つの基地局が送信した同期化要求メッセージを受信する、ように構成される。
【００４０】
第4の態様、及び/又は第4の態様の第1の可能な実装方法に関連して、第4の態様の第2の可能な実装方法において、前記プロセッサは、特に、
最初の無線フレーム番号をあらかじめ格納し、
現在の時間と最初の時点との間の絶対時間偏差を計算し、前記最初の時点は、前記無線フレーム番号によって示されている無線フレームの最初の時点であり、
前記基準フレーム情報として前記絶対時間偏差及び前記最初の無線フレーム番号を決定する、ように構成される。
【００４１】
第4の態様、及び/又は第4の態様の第1の可能な実装方法に関連して、第4の態様の第3の可能な実装方法において、前記プロセッサは、特に、
最初の無線フレーム番号をあらかじめ格納し、
1つの無線フレームの時間的な長さに従って、当該コアネットワークデバイスの現在の無線フレームのフレーム番号へと、前記格納されている無線フレーム番号を継続的に更新し、
当該コアネットワークデバイスの中に格納されている前記無線フレーム番号を読み取る、ように構成される。
【００４２】
第4の態様、及び/又は第4の態様の第1の可能な実装方法に関連して、第4の態様の第4の可能な実装方法において、前記基準フレーム情報は、サブフレーム番号をさらに含み、前記プロセッサは、特に、
最初の無線フレーム番号及びサブフレーム番号をあらかじめ格納し、
システムページングフレーム及びサブフレームの時間的な長さに従って、現在の無線フレームのフレーム番号へと、前記格納されている無線フレーム番号を継続的に更新し、前記現在の無線フレームの中の現在のサブフレームのサブフレーム番号へと、前記格納されているサブフレーム番号を継続的に更新し、
当該コアネットワークデバイスの中に格納されている前記無線フレーム番号及び前記サブフレーム番号を読み取る、ように構成される。
【００４３】
第4の態様、及び/又は第4の態様の第1の可能な実装方法に関連して、第4の態様の第5の可能な実装方法において、当該コアネットワークデバイスは、
第1の基地局が送信する前記第1の基地局のフレーム情報を受信するように構成される受信機をさらに含み、前記フレーム情報は、前記第1の基地局が前記フレーム情報を送信したときの前記第1の基地局の無線フレーム番号を含み、前記第1の基地局は、前記ページングエリアの中の基地局であり、
前記プロセッサは、さらに、前記基準フレーム情報として前記第1の基地局の前記フレーム情報を決定するように構成される。
【００４４】
第4の態様、及び/又は第4の態様の第1の可能な実装方法に関連して、第4の態様の第6の可能な実装方法において、当該コアネットワークデバイスは、
第1の基地局が送信する前記第1の基地局のフレーム情報を受信するように構成される受信機をさらに含み、前記フレーム情報は、前記第1の基地局が前記フレーム情報を送信したときの前記第1の基地局の無線フレーム番号及びサブフレーム番号を含み、前記第1の基地局は、前記ページングエリアの中の基地局であり、
前記プロセッサは、さらに、前記基準フレーム情報として前記第1の基地局の前記フレーム情報を決定するように構成される。
【００４５】
第4の態様の第5の可能な実装方法、及び/又は第4の態様の第6の可能な実装方法に関連して、第4の態様の第7の可能な実装方法において、前記送信機は、さらに、前記受信機が前記第1の基地局の前記フレーム情報を受信する前に、前記第1の基地局にフレーム情報要求を送信するように構成される。
【００４６】
第4の態様、及び/又は第4の態様の第1の可能な実装方法、及び/又は第4の態様の第2の可能な実装方法、及び/又は第4の態様の第3の可能な実装方法、及び/又は第4の態様の第4の可能な実装方法、及び/又は第4の態様の第5の可能な実装方法、及び/又は第4の態様の第6の可能な実装方法、及び/又は第4の態様の第7の可能な実装方法に関連して、第4の態様の第8の可能な実装方法において、当該コアネットワークデバイスは、
前記受信機が、前記基地局が前記フレーム情報を受信した後に、前記基地局が送信する受信確認応答メッセージを受信するように構成されるということをさらに含む。
【００４７】
第4の態様、及び/又は第4の態様の第1の可能な実装方法、及び/又は第4の態様の第2の可能な実装方法、及び/又は第4の態様の第3の可能な実装方法、及び/又は第4の態様の第4の可能な実装方法、及び/又は第4の態様の第5の可能な実装方法、及び/又は第4の態様の第6の可能な実装方法、及び/又は第4の態様の第7の可能な実装方法、及び/又は第4の態様の第8の可能な実装方法に関連して、第4の態様の第9の可能な実装方法において、当該コアネットワークデバイスは、
前記受信機が、接続されている状態にあるUEが送信する前記UEのeDRXサイクルを受信するように構成され、
プロセッサが、さらに、前記eDRXサイクルに従って前記UEのPF及びPOを計算するように構成され、
前記送信機が、さらに、前記UEのためのダウンリンクデータが着信し、前記UEがアイドル状態にある場合に、前記PF及び前記POによって示されるページングの時点の前に前記基地局にページングメッセージを送信するように構成され、それによって、前記基地局は、前記UEに前記ページングメッセージを送信する、ということをさらに含む。
【００４８】
第4の態様の第9の可能な実装方法に関連して、第4の態様の第10の可能な実装方法において、当該コアネットワークデバイスが前記基地局に前記ページングメッセージを送信する時点は、前記PF及び前記POが計算される時点と前記ページングの時点との間に存在し、前記ページングの時点により近い。
【００４９】
第4の態様、及び/又は第4の態様の第1の可能な実装方法、及び/又は第4の態様の第2の可能な実装方法、及び/又は第4の態様の第3の可能な実装方法、及び/又は第4の態様の第4の可能な実装方法、及び/又は第4の態様の第5の可能な実装方法、及び/又は第4の態様の第6の可能な実装方法、及び/又は第4の態様の第7の可能な実装方法、及び/又は第4の態様の第8の可能な実装方法に関連して、第4の態様の第11の可能な実装方法において、当該コアネットワークデバイスは、
前記受信機が、接続されている状態にあるUEが送信する前記UEのeDRXサイクルを受信するように構成され、
前記送信機が、前記UEのためのダウンリンクデータが着信し、前記UEがアイドル状態にある場合に、前記基地局にページングメッセージを送信するように構成され、前記ページングメッセージは、前記UEのeDRXサイクルを含み、
前記受信機が、さらに、前記基地局が送信した第1の時間間隔を受信するように構成され、前記基地局が、前記eDRXサイクルに従って前記UEのPF及びPOを計算し、前記UEの前記PF及び前記POによって示されるページングの時点と現在の時間との間の時間間隔が、あらかじめ設定された時間しきい値と比較してより大きく、かつ、第1の時間間隔が、前記UEの前記ページングの時点と前記現在の時間との間の前記時間間隔と比較してより小さいか又は等しいということを決定した場合に、前記第1の時間間隔は前記基地局によって送信され、
前記送信機が、さらに、前記受信した第1の時間間隔に従って前記基地局にページングメッセージを送信するように構成される、ということをさらに含む。
【００５０】
第4の態様の第11の可能な実装方法に関連して、第4の態様の第12の可能な実装方法において、前記送信機は、特に、各々の基地局について、前記基地局の第1の時間間隔の後に、前記基地局が送信した前記第1の時間間隔に従って、前記基地局にページングメッセージを送信する、又は、
複数の基地局が送信した複数の第1の時間間隔から最小の第1の時間間隔を選択し、前記最小の第1の時間間隔の後に前記基地局にページングメッセージを送信する、ように構成される。
【００５１】
第4の態様の第11の可能な実装方法に関連して、第4の態様の第13の可能な実装方法において、前記送信機は、特に、
前記UEが、前記接続されている状態から前記アイドル状態へと切り替わった後に、前記UEのためのページングメッセージがまだ送信されていないということを決定した場合に、前記基地局に前記ページングメッセージを直ちに送信する、又は、
前記UEが、前記接続されている状態から前記アイドル状態へと切り替わった後に、前記UEのためのページングメッセージがすでに送信されているということを決定した場合に、前記UEのための最後のページングメッセージが送信されている時間及び前記UEの前記eDRXサイクルに従って、現在のページングメッセージを送信するための時間を決定し、前記現在のページングメッセージを送信するための前記時間が到来したときに、前記基地局に前記ページングメッセージを送信する、ように構成される。
【００５２】
第4の態様の第11の可能な実装方法に関連して、第4の態様の第14の可能な実装方法において、前記送信機は、特に、
前記UEが、前記接続されている状態から前記アイドル状態へと切り替わった後に、前記UEのためのページングメッセージがまだ送信されていないということを決定した場合には、前記基地局に前記ページングメッセージを直ちに送信する、又は、
前記UEが前記接続されている状態から前記アイドル状態へと切り替わった後に、前記UEのためのページングメッセージがすでに送信されているということを決定した場合には、あらかじめ格納されている基準送信時間及び基準時間間隔と前記UEの前記eDRXサイクルとに従って、現在のページングメッセージを送信するための時間を決定し、前記現在のページングメッセージを送信するための前記時間が到来したときに、当該コアネットワークデバイスによって前記基地局に前記ページングメッセージを送信するように構成される。
【００５３】
第4の態様の第14の可能な実装方法に関連して、第4の態様の第15の可能な実装方法において、前記プロセッサは、さらに、
前記ページングメッセージが送信されるたびに、前記基地局が送信した前記第1の時間間隔を受信した場合に、前記ページングメッセージが送信される時間を使用することによって前記基準送信時間を更新し、前記受信した第1の時間間隔を使用することによって前記基準時間間隔を更新するように構成される。
【００５４】
第4の態様、及び/又は第4の態様の第1の可能な実装方法、及び/又は第4の態様の第2の可能な実装方法、及び/又は第4の態様の第3の可能な実装方法、及び/又は第4の態様の第4の可能な実装方法、及び/又は第4の態様の第5の可能な実装方法、及び/又は第4の態様の第6の可能な実装方法、及び/又は第4の態様の第7の可能な実装方法、及び/又は第4の態様の第8の可能な実装方法に関連して、第4の態様の第16の可能な実装方法において、当該コアネットワークデバイスは、
前記受信機が、接続されている状態にあるUEが送信する前記UEのeDRXサイクルを受信するように構成され、
前記プロセッサが、さらに、前記UEのためのダウンリンクデータが着信し、前記UEがアイドル状態にある場合で、かつ、前記UEが、前記接続されている状態から前記アイドル状態へと切り替わった後に、前記UEのためのページングメッセージがすでに送信されているということを決定した場合に、前記UEのための最後のページングメッセージが送信されている時間、前記UEの前記eDRXサイクル、及び前記UEのために送信された前記最後のページングメッセージに対応する複数の第2の時間間隔に従って、現在のページングメッセージを送信するための時間を決定するように構成され、
前記送信機が、さらに、前記UEのための前記ダウンリンクデータが着信し、前記UEが前記アイドル状態にある場合で、かつ、前記UEが、前記接続されている状態から前記アイドル状態へと切り替わった後に、前記UEのためのページングメッセージがまだ送信されていないということを決定した場合に、前記基地局に前記ページングメッセージを直ちに送信するか、又は、前記UEのための前記ダウンリンクデータが着信し、前記UEが前記アイドル状態にある場合で、かつ、前記UEが前記接続されている状態から前記アイドル状態へと切り替わった後に、前記UEのための前記ページングメッセージがすでに送信されているということを決定した場合に、前記現在のページングメッセージを送信するための前記時間が到来したときに、前記基地局に前記ページングメッセージを送信する、ように構成されるということをさらに含み、
前記UEのために送信された前記最後のページングメッセージに対応する前記複数の第2の時間間隔は、当該コアネットワークデバイスが前記UEのための前記最後のページングメッセージを送信した場合に、それに応じて基地局がフィードバックするページング応答メッセージの中で搬送される複数の第2の時間間隔であり、
前記複数の第2の時間間隔は、前記基地局が計算する前記UEのページングの時点を当該コアネットワークデバイスに示すのに使用される。
【００５５】
第4の態様の第16の可能な実装方法に関連して、第4の態様の第17の可能な実装方法において、前記プロセッサは、特に、前記複数の第2の時間間隔から、最小値を有する第2の時間間隔を選択し、
式、
現在のページングメッセージを送信するための時間＝UEのための最後のページングメッセージが送信されている時間＋M＊eDRXサイクル＋最小値を有する第2の時間間隔
に従って、前記現在のページングメッセージを送信するための前記時間を決定する、ように構成され、Mは自然数である。
【００５６】
第5の態様によれば、本発明の1つの実施形態は、基地局であって、
コアネットワークデバイスが送信した基準フレーム情報を受信するように構成される受信機であって、前記基準フレーム情報は、無線フレーム番号を含む、受信機と、
前記受信機が受信した前記基準フレーム情報に従って、前記基地局における無線フレームを同期化するように構成されるプロセッサと、を含む基地局を提供する。
【００５７】
第5の態様に関連して、第5の態様の第1の可能な実装方法において、前記プロセッサは、特に、
絶対時間偏差及び1つの無線フレームの長さに従って、前記絶対時間偏差に含まれている無線フレームの数及び剰余時間偏差を計算し、
前記剰余時間偏差及び1つのサブフレームの長さに従って、前記剰余時間偏差に含まれているサブフレームの数を計算し、
最初の無線フレーム番号及び無線フレームの前記数を加算して、現在の無線フレームのフレーム番号を取得し、そして、サブフレームの前記数に従って、前記現在の無線フレームの中の現在のサブフレームのサブフレーム番号を決定する、ように構成される。
【００５８】
第5の態様に関連して、第5の態様の第2の可能な実装方法において、前記プロセッサは、特に、
前記基準フレーム情報の中で搬送される前記無線フレーム番号へと、当該基地局における現在の無線フレームのフレーム番号を更新するように構成される。
【００５９】
第5の態様に関連して、第5の態様の第3の可能な実装方法において、前記基準フレーム情報は、サブフレーム番号をさらに含み、前記プロセッサは、特に、
前記基準フレーム情報の中で搬送される前記無線フレーム番号へと、当該基地局における現在の無線フレームのフレーム番号を更新し、前記基準フレーム情報の中で搬送される前記サブフレーム番号へと、当該基地局における前記現在の無線フレームのサブフレーム番号を更新する、ように構成される。
【００６０】
第5の態様、及び/又は第5の態様の第1の可能な実装方法、及び/又は第5の態様の第2の可能な実装方法、及び/又は第5の態様の第3の可能な実装方法に関連して、第5の態様の第4の可能な実装方法において、当該基地局は、
前記コアネットワークデバイスに、前記基準フレーム情報に関する受信確認応答メッセージを送信するように構成される送信機をさらに含む。
【００６１】
第5の態様、及び/又は第5の態様の第1の可能な実装方法、及び/又は第5の態様の第2の可能な実装方法、及び/又は第5の態様の第3の可能な実装方法に関連して、第5の態様の第5の可能な実装方法において、当該基地局は、
前記受信機が、さらに、前記コアネットワークデバイスが送信したページングメッセージを受信するように構成され、
前記プロセッサが、さらに、前記ページングメッセージの中で搬送されるeDRXサイクル及びUE識別子に従って、UEのPF及びPOを計算するように構成され、
前記送信機が、さらに、前記UEの前記PF及び前記POによって示されるページングの時点において、前記UEのための前記ページングメッセージを送信するように構成される、ということをさらに含む。
【００６２】
第5の態様、及び/又は第5の態様の第1の可能な実装方法、及び/又は第5の態様の第2の可能な実装方法、及び/又は第5の態様の第3の可能な実装方法に関連して、第5の態様の第6の可能な実装方法において、当該基地局は、
前記受信機が、さらに、前記コアネットワークデバイスが送信したページングメッセージを受信するように構成され、
前記プロセッサが、さらに、前記ページングメッセージの中で搬送されるeDRXサイクル及びUE識別子に従って、UEのPF及びPOを計算し、前記PF及び前記POによって示されるページングの時点と現在の時間との間の時間間隔が、あらかじめ設定された時間しきい値と比較してより大きいということを決定した場合に、第1の時間間隔を決定する、ように構成され、
前記送信機が、さらに、前記コアネットワークデバイスに、前記決定された第1の時間間隔を送信するように構成され、前記第1の時間間隔は、前記ページングの時点と前記現在の時間との間の前記時間間隔と比較してより小さいか又は等しく、
前記受信機が、さらに、前記第1の時間間隔に従って、前記コアネットワークデバイスが送信する前記UEのためのページングメッセージを受信するように構成される、ということをさらに含む。
【００６３】
第5の態様の第6の可能な実装方法に関連して、第5の態様の第7の可能な実装方法において、前記プロセッサは、さらに、
前記受信機が受信した前記ページングメッセージの中の推奨セルリストを取得し、当該基地局が、前記推奨セルリストにおいて挙げられているセルにサービスを提供している基地局であるということを決定する、又は、
前記受信機が受信した前記ページングメッセージの中の推奨基地局リストを取得し、当該基地局が、前記推奨基地局リストにおいて挙げられている基地局であるということを決定する、ように構成される。
【００６４】
第5の態様、及び/又は第5の態様の第1の可能な実装方法、及び/又は第5の態様の第2の可能な実装方法、及び/又は第5の態様の第3の可能な実装方法に関連して、第5の態様の第8の可能な実装方法において、当該基地局は、
前記受信機が、さらに、前記コアネットワークデバイスが送信したページングメッセージを受信するように構成され、
前記プロセッサが、さらに、前記ページングメッセージの中で搬送されるeDRXサイクル及びUE識別子に従って、UEのPF及びPOを計算し、前記PF及び前記POによって示されるページングの時点と現在の時間との間の時間間隔に従って第2の時間間隔を決定する、ように構成される、ということをさらに含み、
当該基地局は、ページング応答メッセージに前記第2の時間間隔を追加し、前記コアネットワークデバイスに前記ページング応答メッセージを送信する、ように構成される送信機をさらに含み、前記第2の時間間隔は、前記PF及び前記POによって示される前記ページングの時点を前記コアネットワークデバイスに示すのに使用される。
【００６５】
第5の態様、及び/又は第5の態様の第1の可能な実装方法、及び/又は第5の態様の第2の可能な実装方法、及び/又は第5の態様の第3の可能な実装方法、及び/又は第5の態様の第4の可能な実装方法、及び/又は第5の態様の第5の可能な実装方法、及び/又は第5の態様の第6の可能な実装方法、及び/又は第5の態様の第7の可能な実装方法、及び/又は第5の態様の第8の可能な実装方法に関連して、第5の態様の第9の可能な実装方法において、前記送信機は、さらに、前記プロセッサが、最後の基準フレーム情報が受信される時点と現在の時点との間の時間があらかじめ設定されたサイクル値を超えているということを決定した場合に、前記コアネットワークデバイスに同期化要求メッセージを送信するように構成され、前記同期化要求メッセージは、現在のフレーム情報を送信することを前記コアネットワークデバイスに要求するの使用される。
【００６６】
第6の態様によれば、本発明の1つの実施形態は、ユーザ機器であって、
当該ユーザ機器がアイドル状態に入ったときに、当該ユーザ機器のPF及びPOを計算し、前記PF及び前記POによって示されるページングの時点の前の第1の時点において当該ユーザ機器を目覚めさせ、当該ユーザ機器がセル再選択を実行するか否かを決定し、前記第1の時点と前記ページングの時点との間の時間間隔は、当該ユーザ機器が1回のセル再選択を完了するのに使用される時間と比較してより大きいか又は等しく、セル再選択が実行されるべきである場合には、セル再選択を完了する、ように構成されるプロセッサと、
前記プロセッサが、セル再選択が実行されるべきであるということを決定する場合に、再選択されるセルのページングチャネルにおいてページングメッセージを求めてリッスンを実行するか、或いは、前記プロセッサが、セル再選択が実行されるべきでないということを決定する場合に、現在のセルのページングチャネルにおいてページングメッセージを求めてリッスンを実行するか、又はスリープ状態に入り、前記ページングの時点において目覚め、そして、現在のセルのページングチャネルにおいてページングメッセージを求めてリッスンを実行する、ように構成される受信機と、を含むユーザ機器を提供する。
【００６７】
第6の態様に関連して、第6の態様の第1の可能な実装方法において、前記第1の時点と前記ページングの時点との間の前記時間間隔は、当該ユーザ機器が1回のセル再選択を完了するのに使用される前記時間及び1つの無線フレームの時間的な長さの合計と比較してより大きいか又は等しい。
【００６８】
本発明の実施形態において、コアネットワークデバイスは、コアネットワークデバイスが、同期化機会が到来するということを決定する場合に、基準フレーム情報を決定する。その基準フレーム情報は、無線フレーム番号を含む。コアネットワークデバイスは、ページングエリアの中の基地局に基準フレーム情報を送信し、それによって、基地局は、基準フレーム情報に従って基地局における無線フレームを同期化する。この手法によって、少なくとも無線フレーム番号は、コアネットワークデバイスと基地局との間で同期し、コアネットワークデバイスと基地局との間の時間差は、1つの無線フレームの時間的な長さに制限され、それによって、複数の異なる基地局の複数のセルの間の時間誤差を可能な限り減少させ、セル再選択が現在のセルのページングの時点の前に完了する場合であっても、UEが、さらに、新たなセルのページングの時点を逃すという問題をある程度軽減する。
【００６９】
本発明の複数の実施形態にしたがった技術的解決法をより明確に説明するために、以降の記載は、それらの複数の実施形態を説明するために必要とされる添付の図面を簡単に説明する。明らかなことではあるが、本発明の技術分野における当業者であれば、創造的な取り組みを伴わずにこれらの添付の図面からその他の図面を導き出すことが可能である。
【図面の簡単な説明】
【００７０】
【図１】本発明の1つの実施形態による適用シナリオの1つの例を示す図である。
【図２】本発明の1つの実施形態によるページング方法の概略的なフローチャートである。
【図３】本発明の1つの実施形態によるページング方法の別の概略的なフローチャートである。
【図４】本発明の1つの実施形態によるページング方法の別の概略的なフローチャートである。
【図５】本発明の1つの実施形態によるページング方法の別の概略的なフローチャートである。
【図６】本発明の1つの実施形態によるページング方法の別の概略的なフローチャートである。
【図７】本発明の1つの実施形態によるページング方法の別の概略的なフローチャートである。
【図８】本発明の1つの実施形態によるコアネットワークデバイスの概略的な構成図である。
【図９】本発明の1つの実施形態による基地局の概略的な構成図である。
【図１０】本発明の1つの実施形態によるユーザ機器の概略的な構成図である。
【発明を実施するための形態】
【００７１】
セル再選択が生じる場合に、UEが、再選択の前及び後のセルのページングの時点を見逃す理由は、複数の基地局が時間的に同期していないことであるということに本発明者らは気づいている。複数の異なる基地局が、計算によって同じUEの同じPSF及びPOを取得するが、それらの基地局は、時間的に同期していないので、その同じPSF及びPOによって示されるページングの時点は、それらの複数の異なる基地局における複数の異なる絶対時間に対応する場合がある。たとえば、UE1のPSF1及びPO1が、ページングの時点1を示しており、UE1は、現在、基地局Aのセルの中に位置していて、基地局Bのセルbを再選択しており、UE1のページングの時点1は、基地局Aのセルの中で絶対時間t1において到来し、UE1のページングの時点1は、基地局Bのセルの中で絶対時間t2において到来すると想定される。t2＜t1という条件のもとでは、UEが、セル再選択の実行を開始し、セルaのページングの時点1が到来する前にセルbを再選択し、UEが再選択を完了する時間がt1と比較してより早い場合であっても、その時間がt2と比較してより遅いかぎり、UEは、セルbのページングの時点1を逃す。したがって、UE1は、次のeDRXサイクルにおけるセルbのページングの時点を待つ必要がある。さらに、UE1が頻繁に移動し、上記のケースが繰り返す場合には、UE1は、リッスンを実行することによって長い時間にわたってページングメッセージを得ることができず、コアネットワークが配信することを意図しているデータを受信することができない。
【００７２】
したがって、本発明の実施形態は、UEが上記のケースにおいてリッスンを実行することによってページングメッセージを得ることができないという問題を軽減するためのページング方法を提供する。
【００７３】
本発明の実施形態における技術的解決法を当業者にさらによく理解してもらうために、並びに本発明の実施形態の目的、特徴、及び利点をさらに明確にするために、以降では、添付の図面を参照しながら詳細に本発明の実施形態における技術的解決法についてさらに記述する。
【００７４】
本発明の実施形態にしたがったページング方法を、M2M、LTE、及びその他の通信システムにおけるページングシナリオに適用してもよく、そのページングシナリオは、eDRX様式が使用されていること、及びUEがある程度移動可能であることという条件を満たす。たとえば、図1は、本発明の1つの実施形態によるページング方法が適用されるネットワーク構造の1つの例を示している。このネットワーク構造は、コアネットワークデバイス110と、基地局120と、基地局120のセル130と、UE140とを含む。UE140は、セル130のうちの1つの中にある。UE140は、ある程度移動可能であり、別のセルへ移動することができる。
【００７５】
本発明のこの実施形態がM2Mに適用される場合には、本発明のこの実施形態において、無線フレームは、M2Mにおけるスーパーフレームであり、サブフレームは、そのスーパーフレームにおけるフレームであり、コアネットワークデバイスは、サービングGPRSサポートノード(SGSN,  Serving  GPRS  Support  Node)であってもよい。本発明のこの実施形態がLTEに適用される場合には、本発明のこの実施形態において、無線フレームは、LTEにおけるフレームであり、サブフレームは、LTEにおけるサブフレームであり、コアネットワークデバイスは、モビリティー管理エンティティー(MME,  Mobility  Management  Entity)であってもよい。M2Mにおけるページングスーパーフレーム、LTEにおけるページングフレーム、及びPOを有している別の無線フレームは、本発明のこの実施形態においてはページングフレーム(PF,  Paging  Frame)と呼ばれる。PFは、POを有している無線フレームであり、そのPOは、その無線フレーム内にあってページングメッセージを有しているサブフレームであり、1つのPFは、1つ又は複数のPOを含んでもよい。
【００７６】
図2を参照すると、図2は、本発明の1つの実施形態によるページング方法の概略的なフローチャートである。この方法は、以下のステップを含む。
【００７７】
ステップ201:  コアネットワークデバイスが、同期化機会が到来するということを決定する場合に、そのコアネットワークデバイスが基準フレーム情報を決定し、その基準フレーム情報は、無線フレーム番号を含む。
【００７８】
コアネットワークデバイスが、同期化機会が到来するということを決定することは、
ページングエリアの中の新たな基地局がコアネットワークデバイスに接続しているということをコアネットワークデバイスによって決定するステップ、又は、
コアネットワークデバイスによって、ページングエリアの中の基地局が再始動してからそのコアネットワークデバイスに再接続するということを決定するステップ、又は、
各々の同期化サイクルの同期化の時点が到来するということをコアネットワークデバイスによって決定するステップ、又は、
ページングエリアの中の少なくとも1つの基地局が送信した同期化要求メッセージをコアネットワークデバイスによって受信するステップを含んでもよい。
【００７９】
コアネットワークデバイスが基準フレーム情報を送信する限り、同期化サイクルの具体的なサイクル長は、本発明のこの実施形態においては限定されず、それぞれの同期化サイクルにおける同期化の時点は、本発明のこの実施形態においては限定されない。
【００８０】
このステップにおいて、コアネットワークデバイスによって、基準フレーム情報を決定するステップは、
コアネットワークデバイスによって、最初の無線フレーム番号をあらかじめ格納するステップと、
コアネットワークデバイスによって、現在の時間と最初の時点との間の絶対時間偏差を計算するステップであって、その最初の時点は、無線フレーム番号によって示されている無線フレームの最初の時点である、ステップと、
コアネットワークデバイスによって、基準フレーム情報として絶対時間偏差及び最初の無線フレーム番号を決定するステップとを含んでもよい。
【００８１】
このステップにおいて、コアネットワークデバイスによって、基準フレーム情報を決定するステップは、コアネットワークデバイスによって、最初の無線フレーム番号をあらかじめ格納するステップと、コアネットワークデバイスによって、1つの無線フレームの時間の長さに従って、そのコアネットワークデバイスの現在の無線フレームのフレーム番号へと、格納されている無線フレーム番号を継続的に更新するステップと、コアネットワークデバイスによって、そのコアネットワークデバイスの中に格納されている無線フレーム番号を読み取るステップと、を含んでもよい。
【００８２】
たとえば、コアネットワークデバイスの中にあらかじめ格納されている最初の無線フレーム番号が0であり、最初の時点が0であり、1つの無線フレームの時間の長さがTであると想定される。時間Tにおいて、現在の無線フレームのフレーム番号は1であり、そのフレーム番号1は、格納されている無線フレーム番号0を更新するのに使用される。時間2Tにおいて、現在の無線フレームのフレーム番号は2であり、そのフレーム番号2は、格納されている無線フレーム番号1を更新するのに使用される、といった具合である。したがって、格納されている無線フレーム番号は、リアルタイムで更新され、格納されている無線フレーム番号が常に現在の無線フレームのフレーム番号であることが保証される。
【００８３】
基準フレーム情報は、サブフレーム番号をさらに含んでもよい。このケースにおいて、コアネットワークデバイスによって、基準フレーム情報を決定するステップは、コアネットワークデバイスによって、最初の無線フレーム番号及びサブフレーム番号をあらかじめ格納するステップと、コアネットワークデバイスによって、システムページングフレーム及びサブフレームの時間的な長さに従って、現在の無線フレームのフレーム番号へと、格納されている無線フレーム番号を継続的に更新し、現在の無線フレームの中の現在のサブフレームのサブフレーム番号へと、格納されているサブフレーム番号を継続的に更新するステップと、コアネットワークデバイスによって、そのコアネットワークデバイスの中に格納されている無線フレーム番号及びサブフレーム番号を読み取るステップと、を含んでもよい。
【００８４】
たとえば、コアネットワークデバイスの中にあらかじめ格納されている最初の無線フレーム番号が0であり、コアネットワークデバイス内にあらかじめ格納されているサブフレーム番号が0であり、最初の時点が0であり、1つの無線フレームの時間の長さがTであり、それぞれの無線フレームが、64個のサブフレームを有していると想定される。時間T/64において、現在の無線フレームのフレーム番号は0であり、サブフレーム番号は1であり、それらのフレーム番号0及びサブフレーム番号1は、格納されている無線フレーム番号0及びサブフレーム番号0を更新するために使用される。時間T/32において、現在の無線フレームのフレーム番号は0であり、サブフレーム番号は2であり、それらのフレーム番号0及びサブフレーム番号2は、格納されている無線フレーム番号0及びサブフレーム番号1を更新するために使用される、といった具合である。したがって、格納されている無線フレーム番号及びサブフレーム番号は、リアルタイムで更新され、格納されている無線フレーム番号及びサブフレーム番号が常に現在の無線フレームのフレーム番号及び現在の無線フレームの中の現在のサブフレームのサブフレーム番号であることが保証される。
【００８５】
上記の説明において、コアネットワークデバイスは、そのコアネットワークデバイスの現在のフレーム情報を保持し、その保持されているフレーム情報を基準フレーム情報として使用している。代替として、コアネットワークデバイスは、現在のフレーム情報を保持せずに、ページングエリアの中の基地局から、その基地局の現在のフレーム情報を得て、その基地局の現在のフレーム情報を基準フレーム情報として使用することも可能である。
【００８６】
たとえば、コアネットワークデバイスによって、基準フレーム情報を決定するステップは、
第1の基地局が送信する第1の基地局のフレーム情報をコアネットワークデバイスによって受信し、基準フレーム情報として第1の基地局のそのフレーム情報を決定するステップを含むことができ、そのフレーム情報は、第1の基地局がそのフレーム情報を送信したときの第1の基地局の無線フレーム番号を含み、第1の基地局は、ページングエリアの中の基地局である。
【００８７】
或いは、コアネットワークデバイスによって、基準フレーム情報を決定するステップは、
第1の基地局が送信する第1の基地局のフレーム情報をコアネットワークデバイスによって受信し、基準フレーム情報として第1の基地局のそのフレーム情報を決定するステップを含むことができ、
そのフレーム情報は、第1の基地局がそのフレーム情報を送信したときの第1の基地局の無線フレーム番号及びサブフレーム番号を含み、第1の基地局は、ページングエリアの中の基地局である。
【００８８】
上記の2つの例において、第1の基地局は、コアネットワークデバイスに第1の基地局のフレーム情報を能動的に送信することができる。実際の適用中に、第1の基地局は、代替として、コアネットワークデバイスが要求を送信した場合に、コアネットワークデバイスに第1の基地局のフレーム情報を送信することもできる。このケースにおいて、
コアネットワークデバイスによって、基準フレーム情報を決定するステップは、
コアネットワークデバイスによって、第1の基地局にフレーム情報要求を送信するステップと、
第1の基地局が送信する第1の基地局のフレーム情報をコアネットワークデバイスによって受信し、基準フレーム情報として第1の基地局のそのフレーム情報を決定するステップと、を含むことができ、そのフレーム情報は、第1の基地局がそのフレーム情報を送信したときの第1の基地局の無線フレーム番号を含み、第1の基地局は、ページングエリアの中の基地局である。
【００８９】
或いは、コアネットワークデバイスによって、基準フレーム情報を決定するステップは、
コアネットワークデバイスによって、第1の基地局にフレーム情報要求を送信するステップと、
第1の基地局が送信する第1の基地局のフレーム情報をコアネットワークデバイスによって受信し、基準フレーム情報として第1の基地局のそのフレーム情報を決定するステップと、を含むことができ、
そのフレーム情報は、第1の基地局がそのフレーム情報を送信したときの第1の基地局の無線フレーム番号及びサブフレーム番号を含み、第1の基地局は、ページングエリアの中の基地局である。
【００９０】
ステップ202:  コアネットワークデバイスは、ページングエリアの中の基地局に基準フレーム情報を送信し、それによって、基地局は、基準フレーム情報に従って基地局における無線フレームを同期化する。
【００９１】
このステップにおいて、コアネットワークデバイスは、ページングエリアの中のすべての基地局に基準フレーム情報を送信することができ、又はページングエリアの中の1つ又は複数の基地局に基準フレーム情報を送信することもできる。特に、これは、実際の適用中に独立して設定されてもよく、本明細書においては限定されない。たとえば、コアネットワークデバイスの同期化機会が、新たな基地局がコアネットワークデバイスに接続することである場合には、コアネットワークデバイスは、その新たな基地局にのみ基準フレーム情報を送信することができ、又はページングエリアの中のすべての基地局に基準フレーム情報を送信することもできる。或いは、コアネットワークデバイスの同期化機会が、基地局の同期化要求メッセージが受信されることである場合には、このステップにおいて、コアネットワークデバイスは、その同期化要求メッセージを送信している基地局にのみ基準フレーム情報を送信することができ、又はページングエリアの中のすべての基地局に基準フレーム情報を送信することもできる。
【００９２】
この実施形態において、コアネットワークデバイスは、基地局にそのコアネットワークデバイスの現在の基準フレーム情報を送信し、それによって、基地局は、基準フレーム情報に従って基地局における無線フレームを更新する。その基準フレーム情報は、無線フレーム番号を含む。この手法によって、少なくとも無線フレーム番号は、コアネットワークデバイスと基地局との間で同期し、コアネットワークデバイスと基地局との間の時間差は、1つの無線フレームの時間的な長さに制限され、それによって、複数の異なる基地局の複数のセルの間の時間誤差を可能な限り減少させ、セル再選択が現在のセルのページングの時点の前に完了する場合であっても、UEが、さらに、新たなセルのページングの時点を逃すという問題をある程度軽減する。
【００９３】
図3を参照すると、図3は、本発明の1つの実施形態によるページング方法の別の概略的なフローチャートである。この方法は、以下のステップを含む。
【００９４】
ステップ301:  基地局が、コアネットワークデバイスが送信した基準フレーム情報を受信し、そのフレーム情報は、無線フレーム番号を含む。
【００９５】
ステップ302:  基地局は、基準フレーム情報に従って基地局における無線フレームを同期化する。
【００９６】
基準フレーム情報に従って基地局における無線フレームを基地局によって同期化するステップは、
基地局によって、基準フレーム情報の中で搬送される無線フレーム番号へと、その基地局における現在の無線フレームのフレーム番号を更新するステップを含んでもよい。
【００９７】
フレーム情報は、サブフレーム番号をさらに含んでもよい。それに対応して、基準フレーム情報に従って基地局における無線フレームを基地局によって同期化するステップは、
基地局によって、基準フレーム情報の中で搬送される無線フレーム番号へと、その基地局における現在の無線フレームのフレーム番号を更新し、基準フレーム情報の中で搬送されるサブフレーム番号へと、基地局における現在の無線フレームのサブフレーム番号を更新するステップを含んでもよい。
【００９８】
フレーム情報は、現在の時間と最初の時点との間における絶対時間偏差をさらに含んでもよい。それに対応して、基準フレーム情報に従って基地局における無線フレームを基地局によって同期化するステップは、
基地局によって、絶対時間偏差及び最初の無線フレーム番号に従って、現在の無線フレームのフレーム番号、及び現在の無線フレームの中の現在のサブフレームのサブフレーム番号を決定するステップを含んでもよい。
【００９９】
特に、基地局は、絶対時間偏差及び1つの無線フレームの長さに従って、絶対時間偏差に含まれている無線フレームの数及び剰余時間偏差を計算するステップと、剰余時間偏差及び1つのサブフレームの長さに従って、剰余時間偏差に含まれているサブフレームの数を計算するステップと、
最初の無線フレーム番号及び無線フレームの数を加算して、現在の無線フレームのフレーム番号を取得し、そして、サブフレームの数に従って現在の無線フレームの中の現在のサブフレームのサブフレーム番号を決定するステップと、を実行してもよい。
【０１００】
たとえば、最初の無線フレーム番号が1であり、絶対時間偏差/1つの無線フレームの長さ＝5であり、余りがxであり、x/1つのサブフレームの長さ＝3である。現在の無線フレームのフレーム番号は1＋5＝6であり、サブフレームのサブフレーム番号が0から始まる場合には、現在のサブフレームのサブフレーム番号は2である。xが1つのサブフレームの長さで割り切れない場合には、サブフレームの得られた量を切り上げて、切り捨てて、又は四捨五入して、サブフレームの数を取得してもよい。たとえば、x/1つのサブフレームの長さ＝3.4であり、サブフレーム番号は、切り上げて4にすること、又は切り捨てて3にすること、又は四捨五入して3にすることが可能である。
【０１０１】
或いは、基地局は、絶対時間偏差を1つの無線フレームの長さで割り、商を切り上げて、無線フレームの数を取得すること、及び最初の無線フレーム番号と無線フレームの数とを加算して、現在の無線フレームのフレーム番号を取得すること、及び現在の無線フレームの中の現在のサブフレームのサブフレーム番号が0であるということを決定することが可能である。
【０１０２】
たとえば、絶対時間偏差/1つの無線フレームの長さ＝5.xであり、5.xを切り上げて、無線フレームの数が6であるということが得られる。最初の無線フレーム番号は0であり、現在の無線フレームのフレーム番号は6であり、サブフレーム番号は0であると想定する。
【０１０３】
この実施形態において、基地局は、コアネットワークデバイスが送信した基準フレーム情報を受信する。その基準フレーム情報は、無線フレーム番号を含む。基地局は、基準フレーム情報に従って基地局における無線フレームを同期化する。この手法によって、少なくとも無線フレーム番号は、コアネットワークデバイスと基地局との間で同期し、コアネットワークデバイスと基地局との間の時間差は、1つの無線フレームの時間的な長さに制限され、それによって、複数の異なる基地局の複数のセルの間の時間誤差を可能な限り減少させ、セル再選択が現在のセルのページングの時点の前に完了する場合であっても、UEが、さらに、新たなセルのページングの時点を逃すという問題をある程度軽減する。
【０１０４】
図4は、本発明の1つの実施形態によるページング方法の別の概略的なフローチャートである。この方法は、以下のステップを含む。
【０１０５】
ステップ401:  UEが、アイドル状態に入ったときにそのUEのページングフレーム(PF,  Paging  Frame)及びPOを計算する。
【０１０６】
ステップ402:  UEは、PF及びPOによって示されるページングの時点の前の第1の時点において目覚めて、UEがセル再選択を実行するか否かを決定し、第1の時点とページングの時点との間の時間間隔は、UEが1回のセル再選択を完了するのに使用される時間と比較してより大きいか又は等しい。
【０１０７】
セル再選択のための時間は、通常、セル再選択プロセスにおいて近隣セルを測定するための時間によって決まる。
【０１０８】
ステップ403:  セル再選択が実行されるべきである場合には、セル再選択が完了した後に、再選択されるセルのページングチャネルにおいてページングメッセージを求めてリッスンを実行する。
【０１０９】
ステップ404:  セル再選択が実行されるべきでない場合には、現在のセルのページングチャネルにおいてページングメッセージを求めてリッスンを実行するか、又はスリープ状態に入り、ページングの時点において目覚め、そして、現在のセルのページングチャネルにおいてページングメッセージを求めてリッスンを実行する。
【０１１０】
この実施形態において、UEは、アイドル状態に入ったときにPF及びPOを計算し、そのPF及びPOによって示されるページングの時点の前の第1の時点において目覚めて、UEがセル再選択を実行するか否かを決定する。第1の時点とページングの時点との間の時間間隔は、UEが1回のセル再選択を完了するのに使用される時間と比較してより大きいか又は等しい。セル再選択が実行されるべきである場合には、UEは、セル再選択が完了した後に、再選択されるセルのページングチャネルにおいてページングメッセージを求めてリッスンを実行する。
【０１１１】
セル再選択が実行されるべきでない場合には、UEは、現在のセルのページングチャネルにおいてページングメッセージを求めてリッスンを実行するか、又はスリープ状態に入り、ページングの時点において目覚め、そして、現在のセルのページングチャネルにおいてページングメッセージを求めてリッスンを実行する。この方法において、コアネットワークデバイスと基地局との間での少なくとも無線フレーム番号の上記の同期化と相まって、UEが、現在のセルのページングの時点の前に、セル再選択を完了するということが可能な限り保証され、それによって、セル再選択が現在のセルのページングの時点の前に完了する場合であっても、UEが、さらに、新たなセルのページングの時点を逃すという問題をある程度軽減する。
【０１１２】
図5は、本発明の1つの実施形態によるページング方法の概略的なフローチャートである。この方法は、以下のステップを含む。
【０１１３】
ステップ501:  コアネットワークデバイスが、各々の同期化機会が到来する場合に、基準フレーム情報を決定するステップであって、その基準フレーム情報は、無線フレーム番号及びサブフレーム番号を含む、ステップと、基地局に基準フレーム情報を送信するステップと、を実行する。
【０１１４】
同期化機会は、ページングエリアの中の新たな基地局が、コアネットワークデバイスに接続すること、又はページングエリアの中の基地局が、再始動してからコアネットワークデバイスに再接続すること、又は各々の同期化サイクルの同期化の時点が到来すること、又はコアネットワークデバイスが、ページングエリアの中の少なくとも1つの基地局が送信した同期化要求メッセージを受信することを含んでもよい。
【０１１５】
コアネットワークデバイスは、同期化タイマーをセットすることによって、同期化サイクルの同期化の時点が到来しているということを決定することができる。具体的には、同期化タイマーの時間の長さは、同期化サイクルの時間の長さに等しい。同期化サイクルの具体的な時間の長さは、本発明のこの実施形態においては限定されない。同期化タイマーが切れたときに、同期化の時点が到来し、ステップ501がトリガーされる。コアネットワークデバイスは、基準フレーム情報を送信した後に同期化タイマーをリセットする。
【０１１６】
コアネットワークデバイスは、新たに定義されたS1インターフェースメッセージを使用することによって基準フレーム情報を送信することができ、又は既存のメッセージ内の新たに付加されたIEに基準フレーム情報を付加することができる。IEが既存のメッセージに付加される場合には、そのメッセージは、コアネットワークデバイスが基地局に送信するシグナリングメッセージ又はデータメッセージであってもよい。これは、本発明のこの実施形態においては限定されない。加えて、既存のメッセージの中に、そのメッセージがフレーム情報を搬送しているかどうかを示すためのビットが確保されてもよい。そのメッセージがフレーム情報を搬送している場合には、そのメッセージの一部にIEが付加される。
【０１１７】
加えて、基準フレーム情報を搬送するメッセージは、基地局が受信確認応答メッセージをコアネットワークデバイスへフィードバックする必要があるかどうかをさらに示すことができる。
【０１１８】
このケースにおいて、同期化機会は、ステップ501において、コアネットワークデバイスが、あらかじめ設定された時間内に、1つ又は複数の基地局が送信した受信確認応答メッセージをまったく受信していないということをさらに含んでもよい。
【０１１９】
同期化要求メッセージは、基地局が、最後のフレーム情報が受信されている時点と現在の時点との間の時間があらかじめ設定されたサイクル値を超えているということを決定する場合に、基地局がコアネットワークデバイスに送信する同期化要求メッセージであってもよい。同期化要求メッセージは、基準フレーム情報を送信することをコアネットワークデバイスに要求するのに使用される。ここで、現在の時点とは、決定するステップを基地局が実行する時点である。基地局は、フレーム情報が受信されるたびに同期化タイマーを始動することができる。同期化タイマーの時間の長さは、あらかじめ設定されたサイクル値である。同期化タイマーが切れ、新たなフレーム情報がまったく受信されていない場合には、基地局は、最後のフレーム情報が受信されている時点と現在の時点との間の時間があらかじめ設定されたサイクル値を超えているということを決定する。
【０１２０】
コアネットワークデバイスによって、基準フレーム情報を決定するための方法に関しては、ステップ201における関連した説明を参照すべきである。詳細がここで再び記述されることはない。
【０１２１】
ステップ502:  基地局は、基準フレーム情報を受信し、基準フレーム情報の中で搬送される無線フレーム番号へと、その基地局における現在の無線フレームのフレーム番号を更新し、基準フレーム情報の中で搬送されるサブフレーム番号へと、基地局における現在の無線フレームのサブフレーム番号を更新する。
【０１２２】
ステップ503:  基地局は、コアネットワークデバイスに、基準フレーム情報に関する受信確認応答メッセージを送信し、コアネットワークデバイスは、あらかじめ設定された時間内に、基地局が送信した受信確認応答メッセージを受信する。
【０１２３】
受信確認応答メッセージは、新たに定義されたS1インターフェースメッセージであってもよく、又は受信確認応答メッセージを搬送するIEが、基地局がコアネットワークデバイスに送信する既存の制御メッセージ又はデータメッセージに付加されてもよい。
【０１２４】
基地局が受信確認応答メッセージを送信することは、基地局とコアネットワークデバイスとの間で事前に交渉され設定されてもよく、又はフレーム情報を搬送するメッセージを使用することによってコアネットワークデバイスによって基地局に示されてもよい。
【０１２５】
コアネットワークデバイスが、あらかじめ設定された時間内に、1つ又は複数の基地局が送信した受信確認応答メッセージをまったく受信していない場合には、送信回数のあらかじめ設定された最大数に達するまで、又は基地局が送信した受信確認応答メッセージを受信するまで、ステップ501が再びトリガーされるということが設定されてもよい。
【０１２６】
このステップは、選択的なステップである。
【０１２７】
ステップ504:  UEが、接続されている状態にあるコアネットワークデバイスにそのUEのeDRXサイクルを送信する。
【０１２８】
ステップ505:  コアネットワークデバイスは、eDRXサイクルに従ってUEのPF及びPOを計算する。
【０１２９】
コアネットワークデバイスは、eDRXサイクル及びUE識別子に従ってUEのPF及びPOを計算することができる。
【０１３０】
ステップ504において、eDRXサイクルがUEによって基地局へ送信され、その後、基地局によってコアネットワークデバイスに転送される場合に、基地局がそのeDRXサイクルを転送する際にUE識別子が付加されてもよい。
【０１３１】
ステップ504において、eDRXサイクルがUEによって送信され、基地局によってコアネットワークデバイスに透過的に送信される場合に、UEがそのeDRXサイクルを送信する際にUE識別子が付加されてもよい。
【０１３２】
ステップ506:  UEのためのダウンリンクデータが着信し、UEがアイドル状態にある場合には、コアネットワークデバイスは、PF及びPOによって示されるページングの時点の前に基地局にページングメッセージを送信し、そのページングメッセージは、UEのeDRXサイクル及びUE識別子を含む。
【０１３３】
コアネットワークデバイスが基地局にページングメッセージを送信する時点は、PF及びPOが計算される時点とページングの時点との間に存在し、ページングの時点により近いことが好ましい。
【０１３４】
ステップ504からステップ506において、コアネットワークデバイスは、UEのPF及びPOを計算し、ページングメッセージを格納し、PF及びPOによって示されるページングの時点の前にページングメッセージを送信する。実際の適用中には、コアネットワークデバイスは、UEのPF及びPOを計算することができない。このケースにおいて、ステップ504からステップ506は、以下のステップと置き換えられることが可能である。
【０１３５】
ステップa:  コアネットワークデバイスは、接続されている状態にあるUEが送信するそのUEのeDRXサイクルを受信する。
【０１３６】
コアネットワークデバイスは、そのコアネットワークデバイスの中にUEのeDRXサイクルを保存してもよい。
【０１３７】
ステップb:  UEのためのダウンリンクデータが着信し、UEがアイドル状態にある場合には、コアネットワークデバイスは、基地局にページングメッセージを送信し、そのページングメッセージは、UEのeDRXサイクルを含む。
【０１３８】
コアネットワークデバイスによって基地局にページングメッセージを送信するステップは、
コアネットワークデバイスによって、UEが接続されている状態からアイドル状態へと切り替わった後に、UEのためのページングメッセージが送信されているか否かを決定するステップと、
UEが接続されている状態からアイドル状態へと切り替わった後に、コアネットワークデバイスがUEのためのページングメッセージをまったく送信していない場合には、コアネットワークデバイスによって、ページングメッセージを基地局へ直接送信するステップ、又は、
UEが接続されている状態からアイドル状態へと切り替わった後に、コアネットワークデバイスがUEのためのページングメッセージをすでに送信している場合には、コアネットワークデバイスによって、最後のページングメッセージが送信されている時間及びUEのeDRXサイクルに従って、現在のページングメッセージを送信するための時間を決定し、現在のページングメッセージを送信するための時間が到来したときに、基地局にページングメッセージを送信するステップと、を含んでもよい。
【０１３９】
たとえば、UEが接続されている状態からアイドル状態へと切り替わった後に、コアネットワークデバイスは、基地局にUEのためのページングメッセージ1を送信しており、現在の送信されることになるページングメッセージは、ページングメッセージ2である。ページングメッセージ1及びページングメッセージ2は、同じページングメッセージのコピーではなく、複数の異なるページングメッセージである。
【０１４０】
このステップにおいて、コアネットワークデバイスは、UEが接続されている状態からアイドル状態へと切り替わった後に、UEのためのページングメッセージ1が送信されているということを決定し、コアネットワークデバイスは、最後のページングメッセージ1が送信されている時間及びUEのeDRXサイクルに従って、そして、式:最後のページングメッセージ1が送信されている時間＋n＊UEのeDRXサイクルに従って、ページングメッセージ2を送信するための現在の時間に最も近い時間を計算する。
【０１４１】
たとえば、UEが接続されている状態からアイドル状態へと切り替わった後に、コアネットワークデバイスは、UEのためのページングメッセージを基地局へまったく送信しておらず、現在の送信されることになるページングメッセージは、UEが接続されている状態からアイドル状態へと切り替わった後にUEのために基地局へ送信される第1のページングメッセージである。このステップにおいて、コアネットワークデバイスは、UEが接続されている状態からアイドル状態へと切り替わった後に、UEのためのページングメッセージがまったく送信されていないということを決定し、コアネットワークデバイスは、ページングメッセージを送信するための時間をさらに計算せずに、ページングメッセージを基地局へ直接送信する。
【０１４２】
或いは、コアネットワークデバイスによって基地局にページングメッセージを送信するステップは、
コアネットワークデバイスによって、UEが接続されている状態からアイドル状態へと切り替わった後に、UEのためのページングメッセージが送信されているか否かを決定するステップと、
UEが接続されている状態からアイドル状態へと切り替わった後に、コアネットワークデバイスがUEのためのページングメッセージをまったく送信していない場合には、コアネットワークデバイスによって、ページングメッセージを基地局へ直接送信するステップ、又は、
UEが接続されている状態からアイドル状態へと切り替わった後に、コアネットワークデバイスがUEのためのページングメッセージをすでに送信している場合には、コアネットワークデバイスによって、あらかじめ格納されている基準送信時間及び基準時間間隔とUEのeDRXサイクルとに従って、現在のページングメッセージを送信するための時間を決定し、現在のページングメッセージを送信するための時間が到来したときに、コアネットワークデバイスによって基地局にページングメッセージを送信するステップと、を含んでもよい。具体的な計算式は、現在のページングメッセージを送信するための時間＝基準送信時間＋基準時間間隔＋m＊eDRXであってもよく、mは自然数であり、mは、現在のページングメッセージを送信するための計算された時間が現在の時間を超えていて、かつ現在の時間に最も近いような値を有することが好ましい。
【０１４３】
コアネットワークデバイスの中に格納されている基準送信時間及び基準時間間隔は、継続的に更新され、更新ルール及び方法は、
コアネットワークデバイスがページングメッセージを送信するたびに、基地局がステップcを実行した際に基地局が送信した第1の時間間隔を受信した場合には、ページングメッセージが送信される時間を使用することによって、コアネットワークデバイスによって基準送信時間を更新し、受信した第1の時間間隔を使用することによって基準時間間隔を更新するステップを含んでもよい。
【０１４４】
さらに、基準時間間隔がすべての基地局によって共有されている場合において、複数の基地局によって送信された複数の第1の時間間隔をコアネットワークデバイスが受信したときは、コアネットワークデバイスは、最小値を有する第1の時間間隔を選択して、基準時間間隔を更新することができる。各々の基地局が1つの基準時間間隔に対応している場合に、コアネットワークデバイスは、対応する基地局によって送信された第1の時間間隔を使用して、その基地局に対応する基準時間間隔を更新することができる。
【０１４５】
ステップc:  基地局は、ページングメッセージを受信し、eDRXサイクルに従ってUEのPF及びPOを計算し、UEのPF及びPOによって示されるページングの時点と現在の時間との間の時間間隔が、あらかじめ設定された時間しきい値と比較してより大きいということを決定した場合には、コアネットワークデバイスに第1の時間間隔を送信し、第1の時間間隔は、UEのページングの時点と現在の時間との間の時間間隔と比較してより小さいか又は等しい、ステップdが実行されることになる。
【０１４６】
基地局が、ページングの時点と現在の時間との間における時間間隔があらかじめ設定された時間しきい値よりも小さいということを決定した場合には、ステップ508が実行されることになる。
【０１４７】
ページングメッセージを受信するすべての基地局が、コアネットワークデバイスに第1の時間間隔を送信する必要があるとは限らず、代わりに、いくつかの基地局が、第1の時間間隔を送信する。特に、基地局が第1の時間間隔を送信するかどうかは、UEのPF及びPOによって示されるページングの時点と現在の時間との間の時間間隔が、あらかじめ設定された時間しきい値と比較してより大きい場合に、少なくとも1つの基地局が第1の時間間隔を送信する限り、実際の適用中に独立して設定されてもよい。
【０１４８】
可能な1つの実装方法において、ページングメッセージは、推奨セルリスト又は推奨基地局リストを含んでもよい。ページングメッセージが推奨セルリストを含む場合には、推奨セルリストにおいて挙げられている1つのセルにサービス提供している基地局が、コアネットワークデバイスに第1の時間間隔を送信することができる。ページングメッセージが推奨基地局リストを含む場合には、推奨基地局リストにおいて挙げられている1つの基地局が、コアネットワークデバイスに第1の時間間隔を送信することができる。
【０１４９】
ステップd:  コアネットワークデバイスは、基地局が送信した第1の時間間隔を受信する。
【０１５０】
ステップe:  コアネットワークデバイスは、受信した第1の時間間隔に従って基地局にページングメッセージを送信する。
【０１５１】
受信した第1の時間間隔に従って、コアネットワークデバイスによって基地局にページングメッセージを送信するステップは、
各々の基地局について、基地局の第1の時間間隔の後に、基地局が送信した第1の時間間隔に従って、コアネットワークデバイスによって基地局にページングメッセージを送信するステップ、又は、
コアネットワークデバイスによって、基地局が送信した複数の第1の時間間隔から最小の第1の時間間隔を選択し、その最小の第1の時間間隔の後に基地局にページングメッセージを送信するステップを含んでもよい。
【０１５２】
すなわち、1つの基地局のみが第1の時間間隔を送信する場合には、コアネットワークデバイスは、基地局の第1の時間間隔の後に、ページングエリアの中の基地局にページングメッセージを送信することができる。
【０１５３】
少なくとも2つの基地局が第1の時間間隔を送信する場合には、コアネットワークデバイスは、最小の第1の時間間隔を選択し、その最小の第1の時間間隔の後に、ページングエリアの中の基地局にページングメッセージを送信することができる。或いは、コアネットワークデバイスは、各々の基地局の第1の時間間隔に従って、各々の基地局にページングメッセージを送信することができる。
【０１５４】
選択的に、コアネットワークデバイスが、受信した第1の時間間隔に従って基地局にページングメッセージを送信した後に、この方法は、端末へ送信されることになる後続のページングメッセージに関して、コアネットワークによって、基地局によって送信された第1の時間間隔及び端末のページングeDRXサイクルに基づいて、UEの後続のページングフレーム位置を計算するステップを含む。
【０１５５】
すなわち、基地局が時間間隔を報告する前に、コアネットワークは、端末のためのページングメッセージを保存する。端末へ送信されることになる後続のページングメッセージに関して、コアネットワークは、基地局によって、フィードバックされる時間間隔及び端末のページングeDRXサイクルに基づいて、端末の後続のページングフレーム位置を計算することができる。具体的な計算式は、基地局によってフィードバックされる時間間隔のページングフレーム位置＋N＊ページングeDRXサイクルであってもよい。
【０１５６】
コアネットワークデバイス及び基地局がステップaからステップeを実行する際に、少なくとも2つの基地局がステップeにおいて第1の時間間隔を送信した場合には、コアネットワークデバイスは、最小の第1の時間間隔を選択し、その最小の第1の時間間隔の後に、ページングエリアの中の基地局にページングメッセージを送信する。コアネットワークデバイスが、最小の第1の時間間隔を選択するので、特定の基地局に関しては、UEのPF及びPOによって示されるページングの時点と、基地局がコアネットワークデバイスによって再送信されたページングメッセージを受信する時間との間の時間間隔は、依然としてあらかじめ設定された時間しきい値と比較してより大きくてもよい。このケースにおいて、基地局は、コアネットワークデバイスが送信したページングメッセージを基地局が受信する時間とページングの時点との間の時間間隔が、あらかじめ設定された時間しきい値と比較してより小さくなるまで、又は基地局がコアネットワークデバイスに第1の時間間隔を継続的に送信する回数が、その回数についてのあらかじめ設定されたしきい値に達するまで、コアネットワークデバイスに第1の時間間隔を再送信してもよい。その後、基地局は、ステップ507を実行する。コアネットワークデバイスは、ページングメッセージを使用することによって、各々の基地局にその基地局のための回数についてのしきい値を示すことができ、又は基地局のための回数についてのしきい値は、その基地局においてあらかじめ設定されてもよい。
【０１５７】
ステップ507:  基地局は、ページングメッセージを受信し、そのページングメッセージの中で搬送されるeDRXサイクル及びUE識別子に従って、UEのPF及びPOを計算する。
【０１５８】
ステップ508:  UEは、アイドル状態に入ったときに、eDRXサイクル及びUE識別子に従ってUEのPF及びPOを計算し、そのPF及びPOによって示されるページングの時点の前の第1の時点において目覚めて、UEがセル再選択を実行するか否かを決定し、セル再選択が実行されるべきである場合には、セル再選択が完了した後に、再選択されるセルのページングチャネルにおいてページングメッセージを求めてリッスンを実行するか、或いは、セル再選択が実行されるべきでない場合には、現在のセルのページングチャネルにおいてページングメッセージを求めてリッスンを実行するか、又はスリープ状態に入り、ページングの時点において目覚め、そして、現在のセルのページングチャネルにおいてページングチャネルを求めてリッスンを実行する。
【０１５９】
第1の時点とページングの時点との間の時間間隔は、UEが1回のセル再選択を完了するのに使用される時間と比較してより大きいか又は等しい。
【０１６０】
ステップ501におけるフレーム情報が、無線フレーム番号のみを含む場合には、第1の時点とページングの時点との間の時間間隔は、1つの無線フレームの時間の長さ及びUEが1回のセル再選択を完了するのに使用される時間の合計と比較してより大きいか又は等しいことが好ましい。
【０１６１】
ステップ507及びステップ508は、これらの2つのステップが両方ともステップ509の前に実行される限り、必ずしも特定の順序で実行されるとは限らない。
【０１６２】
ステップ509:  UEのPF及びPOによって示されるページングの時点において、UEが位置しているセルが属する基地局は、UEにページングメッセージを送信し、UEは、そのページングメッセージを受信する。
【０１６３】
UEがページングメッセージを受信した場合には、UEは、ランダムアクセスプロセスを開始して、基地局及びコアネットワークデバイスへの接続を確立し、コアネットワークデバイスは、UEがネットワークにアクセスした後に、ダウンリンクデータをUEへ送信する。この処理プロセスの詳細については、ここでは記述しない。
【０１６４】
この実施形態において、コアネットワークデバイスは、同じページングエリアの中の複数の基地局の無線フレーム及びサブフレームの同期状態を維持し、それによって、複数の異なるページングセルにおけるUEの複数のページングの時点は、基本的に同期している。再選択の前のセルのページングの時点及び再選択の後のセルのページングの時点は、同じページングエリアにおいては時間的に同じであるので、eDRXメカニズムにおいて、UEがセル再選択を実行する場合であっても、ページングの時点が到来する前にセル再選択を完了している限り、UEは、新たなセルのページングの時点を逃さない。
【０１６５】
コアネットワークデバイスは、ページングメッセージを保存し、そのページングメッセージをページングの時点の前に基地局へ配信して、基地局によるページングメッセージの格納時間を減らす。
【０１６６】
UEは、ページングの時点が到来する前の第1の時点において目覚めて、セル再選択を実行するか否かを検査し、それによって、セル再選択プロセスの間にページングの時点が出現しないことを保証し、UEがページングの時点を逃すことを回避する。
【０１６７】
図6は、本発明の1つの実施形態によるページング方法の概略的なフローチャートである。この方法は、以下のステップを含む。
【０１６８】
ステップ601:  コアネットワークデバイスが、各々の同期化機会が到来する場合に、基準フレーム情報を決定するステップであって、その基準フレーム情報は、無線フレーム番号及びサブフレーム番号を含む、ステップと、基地局に基準フレーム情報を送信するステップと、を実行する。
【０１６９】
このステップの実装方法に関しては、ステップ501を参照すべきである。詳細がここで再び記述されることはない。
【０１７０】
ステップ602:  基地局は、基準フレーム情報を受信し、基準フレーム情報の中で搬送される無線フレーム番号へと、その基地局における現在の無線フレームのフレーム番号を更新し、基準フレーム情報の中で搬送されるサブフレーム番号へと、基地局における現在の無線フレームのサブフレーム番号を更新する。
【０１７１】
ステップ603:  基地局は、コアネットワークデバイスに、基準フレーム情報に関する受信確認応答メッセージを送信し、コアネットワークデバイスは、あらかじめ設定された時間内に、基地局が送信した受信確認応答メッセージを受信する。
【０１７２】
受信確認応答メッセージは、新たに定義されたS1インターフェースメッセージであってもよく、又は受信確認応答メッセージを搬送するIEが、基地局がコアネットワークデバイスに送信する既存の制御メッセージ又はデータメッセージに付加されてもよい。
【０１７３】
基地局が受信確認応答メッセージを送信することは、基地局とコアネットワークデバイスとの間で事前に交渉され設定されてもよく、又はフレーム情報を搬送するメッセージを使用することによってコアネットワークデバイスによって基地局に示されてもよい。
【０１７４】
コアネットワークデバイスが、あらかじめ設定された時間内に、1つ又は複数の基地局が送信した受信確認応答メッセージをまったく受信していない場合には、送信回数のあらかじめ設定された最大数に達するまで、又は基地局が送信した受信確認応答メッセージを受信するまで、ステップ601が再びトリガーされるということが設定されてもよい。
【０１７５】
このステップは、選択的なステップである。
【０１７６】
ステップ604:  コアネットワークデバイスは、接続されている状態にあるUEが送信するそのUEのeDRXサイクルを受信する。
【０１７７】
コアネットワークデバイスは、そのコアネットワークデバイスの中にUEのeDRXサイクルを保存してもよい。
【０１７８】
ステップ605:  UEのためのダウンリンクデータが着信し、UEがアイドル状態にある場合には、コアネットワークデバイスは、UEが接続されている状態からアイドル状態へと切り替わった後に、UEのためのページングメッセージが送信されているか否かを決定し、UEのためのページングメッセージがまったく送信されていない場合には、コアネットワークデバイスは、ページングメッセージを基地局へ直接送信し、又はUEのためのページングメッセージがすでに送信されている場合には、コアネットワークデバイスは、UEのための最後のページングメッセージが送信されている時間及びUEのeDRXサイクルに従って、現在のページングメッセージを送信するための時間を決定し、コアネットワークデバイスは、現在のページングメッセージを送信するための時間が到来したときに基地局にページングメッセージを送信する。
【０１７９】
ページングメッセージは、UE識別子を含む。
【０１８０】
たとえば、UEが接続されている状態からアイドル状態へと切り替わった後に、コアネットワークデバイスは、UEのためのページングメッセージ1を基地局へ送信しており、現在の送信されることになるページングメッセージは、ページングメッセージ2である。
【０１８１】
このステップにおいて、コアネットワークデバイスは、UEが接続されている状態からアイドル状態へと切り替わった後に、UEのためのページングメッセージ1が送信されているということを決定し、コアネットワークデバイスは、最後のページングメッセージ1が送信されている時間及びUEのeDRXサイクルに従って、そして、式:最後のページングメッセージ1が送信されている時間＋n＊UEのeDRXサイクルに従って、ページングメッセージ2を送信するための現在の時間に最も近い時間を計算する。
【０１８２】
たとえば、UEが接続されている状態からアイドル状態へと切り替わった後に、コアネットワークデバイスは、UEのためのページングメッセージを基地局へまったく送信しておらず、現在の送信されることになるページングメッセージは、UEが接続されている状態からアイドル状態へと切り替わった後に、コアネットワークデバイスによってUEのために基地局へ送信される第1のページングメッセージである。このステップにおいて、コアネットワークデバイスは、UEが接続されている状態からアイドル状態へと切り替わった後にUEのためのページングメッセージがまったく送信されていないということを決定し、コアネットワークデバイスは、ページングメッセージを送信するための時間をさらに計算せずに、基地局にページングメッセージを直ちに送信することができる。
【０１８３】
ステップ606:  基地局は、ページングメッセージを受信し、eDRXサイクルに従ってUEのPF及びPOを計算し、基地局は、UEのPF及びPOによって示されるページングの時点と現在の時間との間の時間間隔が、あらかじめ設定された時間しきい値と比較してより大きいか否かを決定し、その時間間隔があらかじめ設定された時間しきい値と比較してより大きい場合には、コアネットワークデバイスに第1の時間間隔を送信し、第1の時間間隔は、UEのページングの時点と現在の時間との間の時間間隔と比較してより小さいか又は等しく、そして、ステップ607が実行されることになり、又はその時間間隔があらかじめ設定された時間しきい値と比較してより大きくない場合には、ステップ609が実行されることになる。
【０１８４】
可能な1つの実装方法において、第1の時間間隔は、その第1の時間間隔を送信する基地局が計算するUEのページングの時点をコアネットワークデバイスに示すために使用されてもよい。特に、基地局とコアネットワークデバイスとの間における情報伝送待ち時間及び処理待ち時間が考慮されない場合には、第1の時間間隔は、UEのページングの時点と現在の時間との間における時間間隔と等しくてもよく、コアネットワークデバイスは、現在の時間と第1の時間間隔とを加算して、UEのページングの時点を取得してもよい。基地局とコアネットワークデバイスとの間における情報伝送待ち時間及び処理待ち時間が考慮される場合には、第1の時間間隔は、UEのページングの時点と現在の時間との間における時間間隔よりも小さい必要があり、具体的には、UEのページングの時点と現在の時間との間における時間間隔−伝送待ち時間−処理待ち時間であってもよく、コアネットワークデバイスは、やはり、現在の時間と第1の時間間隔とを加算して、UEのページングの時点を取得してもよい。
【０１８５】
同じページングメッセージについてコアネットワークデバイスに第1の時間間隔を継続的に送信する回数についてのしきい値が、それぞれの基地局に関して設定されてもよい。回数についてのしきい値は、コアネットワークデバイスによってそれぞれの基地局に示されてもよい。たとえば、回数についてのしきい値は、基地局へ送信されるページングメッセージに付加されてもよく、又は基地局においてあらかじめ設定されてもよい。回数についてのしきい値が基地局に関して設定されている場合には、基地局によって受信されるこのページングメッセージに関して、UEのPF及びPOによって示されるページングの時点と現在の時間との間の時間間隔が、あらかじめ設定された時間しきい値と比較してより大きいということを基地局が決定したならば、基地局はさらに、基地局がコアネットワークデバイスに第1の時間間隔を継続的に送信する回数が、回数についてのしきい値に達しているか否かを決定する必要がある。回数についてのしきい値に達している場合には、ステップ609が実行されることになる。回数についてのしきい値に達していない場合には、ステップ607が実行されることになる。
【０１８６】
ページングメッセージを受信するすべての基地局がコアネットワークデバイスに第1の時間間隔を送信する必要があるとは限らず、代わりに、いくつかの基地局が第1の時間間隔を送信する。特に、基地局が第1の時間間隔を送信するかどうかは、UEのPF及びPOによって示されるページングの時点と現在の時間との間の時間間隔が、あらかじめ設定された時間しきい値と比較してより大きい場合に少なくとも1つの基地局が第1の時間間隔を送信する限り、実際の適用中に独立して設定されてもよい。
【０１８７】
可能な1つの実装方法において、ページングメッセージは、推奨セルリスト又は推奨基地局リストを含んでもよい。ページングメッセージが推奨セルリストを含む場合には、推奨セルリストにおいて挙げられている1つのセルにサービス提供している基地局が、コアネットワークデバイスに第1の時間間隔を送信することができる。ページングメッセージが推奨基地局リストを含む場合には、推奨基地局リストにおいて挙げられている1つの基地局が、コアネットワークデバイスに第1の時間間隔を送信することができる。
【０１８８】
コアネットワークデバイスに第1の時間間隔を送信しない基地局に関しては、コアネットワークデバイスがステップ605においてページングメッセージを送信した場合に、又はコアネットワークデバイスがステップ608においてページングメッセージを再送信した場合に、その基地局は、ページングメッセージを受信し、eDRXサイクルに従ってUEのPF及びPOを計算する。次いでステップ609及び610が実行されることになる。
【０１８９】
ステップ607:  コアネットワークデバイスは、基地局が送信した第1の時間間隔を受信する。
【０１９０】
ステップ608:  コアネットワークデバイスは、受信した第1の時間間隔に従って基地局にページングメッセージを送信し、ステップ606が実行されることになる。
【０１９１】
受信した第1の時間間隔に従って、コアネットワークデバイスによって基地局にページングメッセージを送信するステップは、
各々の基地局について、基地局の第1の時間間隔の後に、基地局が送信した第1の時間間隔に従って、コアネットワークデバイスによって基地局にページングメッセージを送信するステップ、又は、
コアネットワークデバイスによって、基地局が送信した複数の第1の時間間隔から最小の第1の時間間隔を選択し、その最小の第1の時間間隔の後に、基地局にページングメッセージを送信するステップを含んでもよい。
【０１９２】
すなわち、1つの基地局のみが第1の時間間隔を送信する場合には、コアネットワークデバイスは、基地局の第1の時間間隔の後に、ページングエリアの中の基地局にページングメッセージを送信することができ、或いは、
少なくとも2つの基地局が第1の時間間隔を送信する場合には、コアネットワークデバイスは、最小の第1の時間間隔を選択し、その最小の第1の時間間隔の後に、ページングエリアの中の基地局にページングメッセージを送信することができ、又はコアネットワークデバイスは、各々の基地局の第1の時間間隔に従って、各々の基地局にページングメッセージを送信することができる。
【０１９３】
選択的に、コアネットワークデバイスが、受信した第1の時間間隔に従って基地局にページングメッセージを送信した後に、この方法は、UEへ送信される後続のページングメッセージに関して、コアネットワークデバイスによって、基地局が送信した第1の時間間隔及びUEのeDRXサイクルに基づいて、UEの後続のページングフレーム位置を計算するステップを含む。
【０１９４】
すなわち、基地局が時間間隔を報告する前に、コアネットワークは、UEのためのページングメッセージを保存する。UEへ送信される後続のページングメッセージに関して、コアネットワークは、基地局によってフィードバックされる第1の時間間隔と、UEのeDRXサイクルとに基づいてUEの後続のページングフレーム位置を計算することができる。具体的な計算式は、基地局によってフィードバックされる第1の時間間隔のページングフレーム位置＋N＊ページングeDRXサイクルであってもよく、Nは自然数である。
【０１９５】
ステップ609:  UEは、アイドル状態に入ったときに、eDRXサイクル及びUE識別子に従ってUEのPF及びPOを計算し、そのPF及びPOによって示されるページングの時点の前の第1の時点において目覚めて、UEがセル再選択を実行するか否かを決定し、セル再選択が実行されるべきである場合には、セル再選択が完了した後に、再選択されるセルのページングチャネルにおいてページングメッセージを求めてリッスンを実行するか、或いは、セル再選択が実行されるべきでない場合には、現在のセルのページングチャネルにおいてページングメッセージを求めてリッスンを実行するか、又はスリープ状態に入り、ページングの時点において目覚め、そして、現在のセルのページングチャネルにおいてページングチャネルを求めてリッスンを実行する。
【０１９６】
第1の時点とページングの時点との間の時間間隔は、UEが1回のセル再選択を完了するのに使用される時間と比較してより大きいか又は等しい。
【０１９７】
ステップ601におけるフレーム情報が、無線フレーム番号のみを含む場合には、第1の時点とページングの時点との間の時間間隔は、1つの無線フレームの時間の長さ及びUEが1回のセル再選択を完了するのに使用される時間の合計と比較してより大きいか又は等しいことが好ましい。
【０１９８】
ステップ610:  UEのPF及びPOによって示されるページングの時点において、UEが位置しているセルが属する基地局は、UEにページングメッセージを送信し、UEは、そのページングメッセージを受信する。
【０１９９】
UEがページングメッセージを受信した場合には、UEは、ランダムアクセスプロセスを開始して、基地局及びコアネットワークデバイスへの接続を確立し、コアネットワークデバイスは、UEがネットワークにアクセスした後に、ダウンリンクデータをUEへ送信する。この処理プロセスの詳細については、ここでは記述しない。
【０２００】
この実施形態において、コアネットワークデバイスは、同じページングエリアの中の複数の基地局の無線フレーム及びサブフレームの同期状態を維持し、それによって、複数の異なるページングセルにおけるUEの複数のページングの時点は、基本的に同期している。再選択の前のセルのページングの時点及び再選択の後のセルのページングの時点は、同じページングエリアにおいては時間的に同じであるので、eDRXメカニズムにおいて、UEがセル再選択を実行する場合であっても、ページングの時点が到来する前にセル再選択を完了している限り、UEは、新たなセルのページングの時点を逃さない。
【０２０１】
コアネットワークデバイスは、ページングメッセージを保存し、そのページングメッセージをページングの時点の前に基地局へ配信して、基地局によるページングメッセージの格納時間を減らす。
【０２０２】
UEは、ページングの時点が到来する前の第1の時点において目覚めて、セル再選択を実行するか否かを検査し、それによって、セル再選択プロセスの間にページングの時点が出現しないことを保証し、UEがページングの時点を逃すことを回避する。
【０２０３】
図7を参照すると、図7は、本発明の1つの実施形態によるページング方法の概略的なフローチャートである。この方法は、以下のステップを含む。
【０２０４】
ステップ701:  コアネットワークデバイスが、各々の同期化機会が到来する場合に、基準フレーム情報を決定するステップであって、その基準フレーム情報は、無線フレーム番号及びサブフレーム番号を含む、ステップと、基地局に基準フレーム情報を送信するステップと、を実行する。
【０２０５】
このステップの実装方法に関しては、ステップ501を参照すべきである。詳細がここで再び記述されることはない。
【０２０６】
ステップ702:  基地局は、基準フレーム情報を受信し、基準フレーム情報の中で搬送される無線フレーム番号へと、その基地局における現在の無線フレームのフレーム番号を更新し、基準フレーム情報の中で搬送されるサブフレーム番号へと、基地局における現在の無線フレームのサブフレーム番号を更新する。
【０２０７】
ステップ703:  基地局は、コアネットワークデバイスに、基準フレーム情報に関する受信確認応答メッセージを送信し、コアネットワークデバイスは、あらかじめ設定された時間内に、基地局が送信した受信確認応答メッセージを受信する。
【０２０８】
受信確認応答メッセージは、新たに定義されたS1インターフェースメッセージであってもよく、又は受信確認応答メッセージを搬送するIEが、基地局がコアネットワークデバイスに送信する既存の制御メッセージ又はデータメッセージに付加されてもよい。
【０２０９】
基地局が受信確認応答メッセージを送信することは、基地局とコアネットワークデバイスとの間で事前に交渉され設定されてもよく、又はフレーム情報を搬送するメッセージを使用することによってコアネットワークデバイスによって基地局に示されてもよい。
【０２１０】
コアネットワークデバイスが、あらかじめ設定された時間内に、1つ又は複数の基地局が送信した受信確認応答メッセージをまったく受信していない場合には、送信回数のあらかじめ設定された最大数に達するまで、又は基地局が送信した受信確認応答メッセージを受信するまで、ステップ701が再びトリガーされるということが設定されてもよい。
【０２１１】
このステップは、選択的なステップである。
【０２１２】
ステップ704:  コアネットワークデバイスは、接続されている状態にあるUEが送信するそのUEのeDRXサイクルを受信する。
【０２１３】
コアネットワークデバイスは、そのコアネットワークデバイスの中にUEのeDRXサイクルを保存してもよい。
【０２１４】
ステップ705:  UEのためのダウンリンクデータが着信し、UEがアイドル状態にある場合には、コアネットワークデバイスは、UEが接続されている状態からアイドル状態へと切り替わった後に、UEのためのページングメッセージが送信されているか否かを決定し、UEのためのページングメッセージがまったく送信されていない場合には、コアネットワークデバイスは、ページングメッセージを基地局へ直接送信し、ステップ707が実行されることになり、又はUEのためのページングメッセージがすでに送信されている場合には、ステップ706が実行されることになる。
【０２１５】
ステップ706:  コアネットワークデバイスは、UEのための最後のページングメッセージが送信されている時間、eDRXサイクル、及びUEのために送信された最後のページングメッセージに対応する複数の第2の時間間隔に従って、現在のページングメッセージを送信するための時間を決定し、コアネットワークデバイスは、現在のページングメッセージを送信するための時間が到来したときに基地局にページングメッセージを送信し、ステップ707が実行されることになる。
【０２１６】
UEのために送信された最後のページングメッセージに対応する複数の第2の時間間隔は、コアネットワークデバイスがUEのための最後のページングメッセージを送信した場合にそれに応じて基地局がフィードバックするページング応答メッセージの中で搬送される複数の第2の時間間隔である。
【０２１７】
コアネットワークデバイスによって、UEのための最後のページングメッセージが送信されている時間、eDRXサイクル、及びUEのために送信された最後のページングメッセージに対応する第2の時間間隔に従って、現在のページングメッセージを送信するための時間を決定するステップは、
コアネットワークデバイスによって、複数の第2の時間間隔から、最小値を有する第2の時間間隔を選択するステップと、
式、
現在のページングメッセージを送信するための時間＝UEのための最後のページングメッセージが送信されている時間＋M＊eDRXサイクル＋最小値を有する第2の時間間隔
に従ってコアネットワークデバイスによって、現在のページングメッセージを送信するための時間を決定するステップと、を含むことができ、Mは自然数であり、mは、現在のページングメッセージを送信するための計算された時間が、現在の時間を超えていて、かつ、現在の時間に最も近いような値を有することが好ましい。
【０２１８】
基地局によってフィードバックされる第2の時間間隔に関して、基地局とコアネットワークデバイスとの間における伝送待ち時間及び処理待ち時間が考慮されない場合には、現在のページングメッセージを送信するための上記の式において計算される時間は、伝送待ち時間及び処理待ち時間を差し引くことによって修正されてもよい。基地局によってフィードバックされる第2の時間間隔に関して、基地局とコアネットワークデバイスとの間における伝送待ち時間及び処理待ち時間が考慮される場合には、現在のページングメッセージを送信するための上記の式において計算される時間は、修正される必要がない。
【０２１９】
ステップ707:  基地局は、ページングメッセージを受信し、eDRXサイクルに従ってUEのPF及びPOを計算し、ページング応答メッセージをコアネットワークデバイスへ送信し、そのページング応答メッセージは、第2の時間間隔を含み、その第2の時間間隔は、UEのPF及びPOによって示されるページングの時点をコアネットワークデバイスに示すために使用される。
【０２２０】
基地局とコアネットワークデバイスとの間における伝送待ち時間及び処理待ち時間が考慮されない場合には、第2の時間間隔は、現在の時間と、UEのPF及びPOによって示されるページングの時点との間における時間間隔に等しくてもよい。基地局とコアネットワークデバイスとの間における伝送待ち時間及び処理待ち時間が考慮される場合には、第2の時間間隔は、現在の時間と、UEのPF及びPOによって示されるページングの時点との間における時間間隔と比較してより小さくてもよい、具体的には、現在の時間と、UEのPF及びPOによって示されるページングの時点との間における時間間隔−伝送待ち時間−処理待ち時間であってもよい。
【０２２１】
ステップ708:  UEは、アイドル状態に入ったときに、eDRXサイクル及びUE識別子に従ってUEのPF及びPOを計算し、そのPF及びPOによって示されるページングの時点の前の第1の時点において目覚めて、UEがセル再選択を実行するか否かを決定し、セル再選択が実行されるべきである場合には、セル再選択が完了した後に、再選択されるセルのページングチャネルにおいてページングメッセージを求めてリッスンを実行するか、或いは、セル再選択が実行されるべきでない場合には、現在のセルのページングチャネルにおいてページングメッセージを求めてリッスンを実行するか、又はスリープ状態に入り、ページングの時点において目覚め、そして、現在のセルのページングチャネルにおいてページングチャネルを求めてリッスンを実行する。
【０２２２】
第1の時点とページングの時点との間の時間間隔は、UEが1回のセル再選択を完了するのに使用される時間と比較してより大きいか又は等しい。
【０２２３】
ステップ701におけるフレーム情報が、無線フレーム番号のみを含む場合には、第1の時点とページングの時点との間の時間間隔は、1つの無線フレームの時間の長さ及びUEが1回のセル再選択を完了するのに使用される時間の合計と比較してより大きいか又は等しいことが好ましい。
【０２２４】
ステップ709:  UEのPF及びPOによって示されるページングの時点において、UEが位置しているセルが属する基地局は、UEにページングメッセージを送信し、UEは、そのページングメッセージを受信する。
【０２２５】
UEがページングメッセージを受信した場合には、UEは、ランダムアクセスプロセスを開始して、基地局及びコアネットワークデバイスへの接続を確立し、コアネットワークデバイスは、UEがネットワークにアクセスした後に、ダウンリンクデータをUEへ送信する。この処理プロセスの詳細については、ここでは記述しない。
【０２２６】
この実施形態において、コアネットワークデバイスは、同じページングエリアの中の複数の基地局の無線フレーム及びサブフレームの同期状態を維持し、それによって、複数の異なるページングセルにおけるUEの複数のページングの時点は、基本的に同期している。再選択の前のセルのページングの時点及び再選択の後のセルのページングの時点は、同じページングエリアにおいては時間的に同じであるので、eDRXメカニズムにおいて、UEがセル再選択を実行する場合であっても、ページングの時点が到来する前にセル再選択を完了している限り、UEは、新たなセルのページングの時点を逃さない。
【０２２７】
コアネットワークデバイスは、ページングメッセージを保存し、そのページングメッセージをページングの時点の前に基地局へ配信して、基地局によるページングメッセージの格納時間を減らす。
【０２２８】
UEは、ページングの時点が到来する前の第1の時点において目覚めて、セル再選択を実行するか否かを検査し、それによって、セル再選択プロセスの間にページングの時点が出現しないことを保証し、UEがページングの時点を逃すことを回避する。
【０２２９】
上記の方法に対応して、本発明の1つの実施形態は、コアネットワークデバイスを提供する。図8を参照すると、コアネットワークデバイス800は、
そのコアネットワークデバイスによって、同期化機会が到来するということを決定する場合に無線フレーム番号を含む基準フレーム情報を決定するように構成されるプロセッサ810と、
ページングエリアの中の基地局にそのプロセッサが決定した基準フレーム情報を送信するように構成される送信機820であって、それによって基地局は、基準フレーム情報に従って基地局における無線フレームを同期化する、送信機820とを含む。
【０２３０】
選択的に、プロセッサは、特に、
ページングエリアの中の新たな基地局がコアネットワークデバイスに接続しているということを決定する、又は、
ページングエリアの中の基地局が再始動してからコアネットワークデバイスに再接続するということを決定する、又は、
各々の同期化サイクルの同期化の時点が到来するということを決定する、又は、
ページングエリアの中の少なくとも1つの基地局が送信した同期化要求メッセージを受信する、ように構成される。
【０２３１】
選択的に、プロセッサは、特に、
最初の無線フレーム番号をあらかじめ格納し、
現在の時間と最初の時点との間の絶対時間偏差を計算し、その最初の時点は、無線フレーム番号によって示されている無線フレームの最初の時点であり、
基準フレーム情報として絶対時間偏差及び最初の無線フレーム番号を決定する、ように構成される。
【０２３２】
選択的に、プロセッサは、特に、
最初の無線フレーム番号をあらかじめ格納し、
1つの無線フレームの時間的な長さに従って、コアネットワークデバイスの現在の無線フレームのフレーム番号へと、格納されている無線フレーム番号を継続的に更新し、
コアネットワークデバイスの中に格納されている無線フレーム番号を読み取る、ように構成される。
【０２３３】
選択的に、フレーム情報は、サブフレーム番号をさらに含み、プロセッサは、特に、
最初の無線フレーム番号及びサブフレーム番号をあらかじめ格納し、
システムページングフレーム及びサブフレームの時間的な長さに従って、現在の無線フレームのフレーム番号へと、格納されている無線フレーム番号を継続的に更新し、現在の無線フレームの中の現在のサブフレームのサブフレーム番号へと、格納されているサブフレーム番号を継続的に更新し、
コアネットワークデバイスの中に格納されている無線フレーム番号及びサブフレーム番号を読み取る、ように構成される。
【０２３４】
選択的に、コアネットワークデバイスは、
第1の基地局が送信する第1の基地局のフレーム情報を受信するように構成される受信機をさらに含み、そのフレーム情報は、第1の基地局がそのフレーム情報を送信したときの第1の基地局の無線フレーム番号を含み、第1の基地局は、ページングエリアの中の基地局である。
【０２３５】
プロセッサは、さらに、基準フレーム情報として第1の基地局のフレーム情報を決定するように構成される。
【０２３６】
選択的に、コアネットワークデバイスは、
第1の基地局が送信する第1の基地局のフレーム情報を受信するように構成される受信機をさらに含み、そのフレーム情報は、第1の基地局がそのフレーム情報を送信したときの第1の基地局の無線フレーム番号及びサブフレーム番号を含み、第1の基地局は、ページングエリアの中の基地局である。
【０２３７】
プロセッサは、さらに、基準フレーム情報として第1の基地局のフレーム情報を決定するように構成される。
【０２３８】
選択的に、送信機は、さらに、受信機が第1の基地局のフレーム情報を受信する前に第1の基地局にフレーム情報要求を送信するように構成される。
【０２３９】
選択的に、コアネットワークデバイスは、
受信機が、基地局がフレーム情報を受信した後に、基地局が送信する受信確認応答メッセージを受信するように構成されるということをさらに含む。
【０２４０】
選択的に、コアネットワークデバイスは、
受信機が、接続されている状態にあるUEが送信するUEのeDRXサイクルを受信するように構成されるということをさらに含む。
【０２４１】
プロセッサは、さらに、eDRXサイクルに従ってUEのPF及びPOを計算するように構成される。
【０２４２】
送信機は、さらに、UEのためのダウンリンクデータが着信し、UEがアイドル状態にある場合には、PF及びPOによって示されるページングの時点の前に基地局にページングメッセージを送信するように構成され、それによって基地局は、UEにページングメッセージを送信する。
【０２４３】
選択的に、コアネットワークデバイスが基地局にページングメッセージを送信する時点は、PF及びPOが計算される時点とページングの時点との間に存在し、ページングの時点により近い。
【０２４４】
選択的に、コアネットワークデバイスは、
受信機が、接続されている状態にあるUEが送信するUEのeDRXサイクルを受信するように構成されるということをさらに含む。
【０２４５】
送信機は、UEのためのダウンリンクデータが着信し、UEがアイドル状態にある場合には、基地局にページングメッセージを送信するように構成される。そのページングメッセージは、UEのeDRXサイクルを含む。
【０２４６】
受信機は、さらに、基地局が送信した第1の時間間隔を受信するように構成される。基地局が、eDRXサイクルに従ってUEのPF及びPOを計算し、UEのPF及びPOによって示されるページングの時点と現在の時間との間の時間間隔が、あらかじめ設定された時間しきい値と比較してより大きいということを決定した場合に、第1の時間間隔は基地局によって送信される。第1の時間間隔は、UEのページングの時点と現在の時間との間の時間間隔と比較してより小さいか又は等しい。
【０２４７】
送信機は、さらに、受信した第1の時間間隔に従って基地局にページングメッセージを送信するように構成される。
【０２４８】
選択的に、送信機は、特に、各々の基地局について、基地局の第1の時間間隔の後に、基地局が送信した第1の時間間隔に従って、基地局にページングメッセージを送信するか、又は、
基地局が送信した複数の第1の時間間隔から最小の第1の時間間隔を選択し、その最小の第1の時間間隔の後に、基地局にページングメッセージを送信する、ように構成される。
【０２４９】
選択的に、送信機は、特に、
UEが接続されている状態からアイドル状態へと切り替わった後に、UEのためのページングメッセージがまだ送信されていないということを決定した場合には、基地局にページングメッセージを直ちに送信するか、又は、
UEが接続されている状態からアイドル状態へと切り替わった後に、UEのためのページングメッセージがすでに送信されているということを決定した場合には、UEのための最後のページングメッセージが送信されている時間及びUEのeDRXサイクルに従って、現在のページングメッセージを送信するための時間を決定し、現在のページングメッセージを送信するための時間が到来したときに基地局にページングメッセージを送信する、ように構成される。
【０２５０】
選択的に、送信機は、特に、
UEが接続されている状態からアイドル状態へと切り替わった後に、UEのためのページングメッセージがまだ送信されていないということを決定した場合には、基地局にページングメッセージを直ちに送信するか、又は、
UEが接続されている状態からアイドル状態へと切り替わった後に、UEのためのページングメッセージがすでに送信されているということを決定した場合には、あらかじめ格納されている基準送信時間及び基準時間間隔とUEのeDRXサイクルとに従って、現在のページングメッセージを送信するための時間を決定し、現在のページングメッセージを送信するための時間が到来したときにコアネットワークデバイスによって基地局にページングメッセージを送信する、ように構成される。
【０２５１】
選択的に、プロセッサは、さらに、
ページングメッセージが送信されるたびに、基地局が送信した第1の時間間隔を受信した場合には、ページングメッセージが送信される時間を使用することによって基準送信時間を更新し、受信した第1の時間間隔を使用することによって基準時間間隔を更新する、ように構成される。
【０２５２】
選択的に、コアネットワークデバイスは、
受信機が、接続されている状態にあるUEが送信するUEのeDRXサイクルを受信するように構成されるということをさらに含む。
【０２５３】
プロセッサは、さらに、UEのためのダウンリンクデータが着信し、UEがアイドル状態にある場合で、かつ、UEが接続されている状態からアイドル状態へと切り替わった後に、UEのためのページングメッセージがすでに送信されているということを決定した場合には、UEのための最後のページングメッセージが送信されている時間、UEのeDRXサイクル、及びUEのために送信された最後のページングメッセージに対応する複数の第2の時間間隔に従って、現在のページングメッセージを送信するための時間を決定するように構成される。
【０２５４】
送信機は、さらに、UEのためのダウンリンクデータが着信し、UEがアイドル状態にある場合で、かつ、UEが接続されている状態からアイドル状態へと切り替わった後に、UEのためのページングメッセージがまだ送信されていないということを決定した場合には、基地局にページングメッセージを直ちに送信するか、又は、UEのためのダウンリンクデータが着信し、UEがアイドル状態にある場合で、かつ、UEが接続されている状態からアイドル状態へと切り替わった後に、UEのためのページングメッセージがすでに送信されているということを決定した場合には、現在のページングメッセージを送信するための時間が到来したときに、基地局にページングメッセージを送信する、ように構成される。
【０２５５】
UEのために送信された最後のページングメッセージに対応する複数の第2の時間間隔は、コアネットワークデバイスがUEのための最後のページングメッセージを送信した場合に、それに応じて基地局がフィードバックするページング応答メッセージの中で搬送される複数の第2の時間間隔である。
【０２５６】
複数の第2の時間間隔は、基地局が計算するUEのページングの時点をコアネットワークデバイスに示すのに使用される。
【０２５７】
選択的に、プロセッサは、特に、複数の第2の時間間隔から、最小値を有する第2の時間間隔を選択し、
式、
現在のページングメッセージを送信するための時間＝UEのための最後のページングメッセージが送信されている時間＋M＊eDRXサイクル＋最小値を有する第2の時間間隔
に従って、現在のページングメッセージを送信するための時間を決定するように構成され、Mは自然数である。
【０２５８】
この実施形態において、コアネットワークデバイスは、基地局にそのコアネットワークデバイスの現在の基準フレーム情報を送信し、それによって、基地局は、基準フレーム情報に従って基地局における無線フレームを更新する。その基準フレーム情報は、無線フレーム番号を含む。この手法によって、少なくとも無線フレーム番号は、コアネットワークデバイスと基地局との間で同期し、コアネットワークデバイスと基地局との間の時間差は、1つの無線フレームの時間的な長さに制限され、それによって、複数の異なる基地局の複数のセルの間の時間誤差を可能な限り減少させ、セル再選択が現在のセルのページングの時点の前に完了する場合であっても、UEが、さらに、新たなセルのページングの時点を逃すという問題をある程度軽減する。
【０２５９】
本発明の1つの実施形態はさらに、基地局900を提供する。図9を参照すると、基地局900は、
コアネットワークデバイスが送信した無線フレーム番号を含む基準フレーム情報を受信するように構成される受信機910と、
その受信機が受信した基準フレーム情報に従って、基地局における無線フレームを同期化するように構成されるプロセッサ920と、を含む。
【０２６０】
選択的に、プロセッサは、特に、
絶対時間偏差及び1つの無線フレームの長さに従って、絶対時間偏差に含まれている無線フレームの数及び剰余時間偏差を計算し、
剰余時間偏差及び1つのサブフレームの長さに従って、剰余時間偏差に含まれているサブフレームの数を計算し、
最初の無線フレーム番号及び無線フレームの数を加算して、現在の無線フレームのフレーム番号を取得し、そして、サブフレームの数に従って現在の無線フレームの中の現在のサブフレームのサブフレーム番号を決定する、ように構成される。
【０２６１】
選択的に、プロセッサは、特に、
基準フレーム情報の中で搬送される無線フレーム番号へと、基地局における現在の無線フレームのフレーム番号を更新するように構成される。
【０２６２】
選択的に、フレーム情報は、サブフレーム番号をさらに含み、プロセッサは、特に、
基準フレーム情報の中で搬送される無線フレーム番号へと、基地局における現在の無線フレームのフレーム番号を更新し、基準フレーム情報の中で搬送されるサブフレーム番号へと、基地局における現在の無線フレームのサブフレーム番号を更新する、ように構成される。
【０２６３】
選択的に、基地局は、
コアネットワークデバイスに、基準フレーム情報に関する受信確認応答メッセージを送信するように構成される送信機をさらに含む。
【０２６４】
選択的に、基地局は、
受信機が、さらに、コアネットワークデバイスが送信したページングメッセージを受信するように構成されるということをさらに含む。
【０２６５】
プロセッサは、さらに、ページングメッセージの中で搬送されるeDRXサイクル及びUE識別子に従って、UEのPF及びPOを計算するように構成される。
【０２６６】
送信機は、さらに、UEのPF及びPOによって示されるページングの時点においてUEのためのページングメッセージを送信するように構成される。
【０２６７】
選択的に、基地局は、
受信機が、さらに、コアネットワークデバイスが送信したページングメッセージを受信するように構成されるということをさらに含む。
【０２６８】
プロセッサは、さらに、ページングメッセージの中で搬送されるeDRXサイクル及びUE識別子に従って、UEのPF及びPOを計算し、PF及びPOによって示されるページングの時点と現在の時間との間の時間間隔が、あらかじめ設定された時間しきい値と比較してより大きいということを決定した場合には、第1の時間間隔を決定するように構成される。
【０２６９】
送信機は、さらに、コアネットワークデバイスに、決定された第1の時間間隔を送信するように構成される。第1の時間間隔は、ページングの時点と現在の時間との間の時間間隔と比較してより小さいか又は等しい。
【０２７０】
受信機は、さらに、第1の時間間隔に従って、コアネットワークデバイスが送信するUEのためのページングメッセージを受信するように構成される。
【０２７１】
選択的に、プロセッサは、さらに、
受信機が受信したページングメッセージの中の推奨セルリストを取得し、基地局が、推奨セルリストにおいて挙げられているセルにサービスを提供している基地局であるということを決定するか、又は、
受信機が受信したページングメッセージの中の推奨基地局リストを取得し、基地局が、推奨基地局リストにおいて挙げられている基地局であるということを決定する、ように構成される。
【０２７２】
選択的に、基地局は、
受信機が、さらに、コアネットワークデバイスが送信したページングメッセージを受信するように構成されるということをさらに含む。
【０２７３】
プロセッサは、さらに、ページングメッセージの中で搬送されるeDRXサイクル及びUE識別子に従って、UEのPF及びPOを計算し、PF及びPOによって示されるページングの時点と現在の時間との間の時間間隔に従って第2の時間間隔を決定するように構成される。
【０２７４】
基地局は、ページング応答メッセージに第2の時間間隔を追加し、コアネットワークデバイスにそのページング応答メッセージを送信するように構成される送信機をさらに含む。第2の時間間隔は、PF及びPOによって示されるページングの時点をコアネットワークデバイスに示すのに使用される。
【０２７５】
選択的に、送信機は、さらに、プロセッサが、最後の基準フレーム情報が受信される時点と現在の時点との間の時間があらかじめ設定されたサイクル値を超えているということを決定した場合には、コアネットワークデバイスに同期化要求メッセージを送信するように構成される。同期化要求メッセージは、現在のフレーム情報を送信することをコアネットワークデバイスに要求するのに使用される。
【０２７６】
この実施形態において、基地局は、コアネットワークデバイスが送信した基準フレーム情報を受信する。その基準フレーム情報は、無線フレーム番号を含む。基地局は、基準フレーム情報に従って基地局における無線フレームを同期化する。この手法によって、少なくとも無線フレーム番号は、コアネットワークデバイスと基地局との間で同期し、コアネットワークデバイスと基地局との間の時間差は、1つの無線フレームの時間的な長さに制限され、それによって、複数の異なる基地局の複数のセルの間の時間誤差を可能な限り減少させ、セル再選択が現在のセルのページングの時点の前に完了する場合であっても、UEが、さらに、新たなセルのページングの時点を逃すという問題をある程度軽減する。
【０２７７】
本発明の1つの実施形態は、さらに、ユーザ機器1000を提供する。図10において示されているように、ユーザ機器1000は、
このユーザ機器がアイドル状態に入ったときに、このユーザ機器のPF及びPOを計算し、そのPF及びPOによって示されるページングの時点の前の第1の時点においてユーザ機器を目覚めさせ、このユーザ機器がセル再選択を実行するか否かを決定し、第1の時点とページングの時点との間の時間間隔は、ユーザ機器が1回のセル再選択を完了するのに使用される時間と比較してより大きいか又は等しく、セル再選択が実行されるべきである場合には、セル再選択を完了するように構成されるプロセッサ1010と、
プロセッサが、セル再選択が実行されるべきであるということを決定する場合には、再選択されるセルのページングチャネルにおいてページングメッセージを求めてリッスンを実行するか、或いは、プロセッサが、セル再選択が実行されるべきでないということを決定する場合には、現在のセルのページングチャネルにおいてページングメッセージを求めてリッスンを実行するか、又はスリープ状態に入り、ページングの時点において目覚め、そして、現在のセルのページングチャネルにおいてページングメッセージを求めてリッスンを実行するように構成される受信機1020と、を含む。
【０２７８】
選択的に、第1の時点とページングの時点との間の時間間隔は、ユーザ機器が1回のセル再選択を完了するのに使用される時間及び1つの無線フレームの時間的な長さの合計と比較してより大きいか又は等しい。
【０２７９】
この実施形態において、UEは、アイドル状態に入ったときにPF及びPOを計算し、そのPF及びPOによって示されるページングの時点の前の第1の時点において目覚めて、UEがセル再選択を実行するか否かを決定する。第1の時点とページングの時点との間の時間間隔は、UEが1回のセル再選択を完了するのに使用される時間と比較してより大きいか又は等しい。セル再選択が実行されるべきである場合には、UEは、セル再選択が完了した後に、再選択されるセルのページングチャネルにおいてページングメッセージを求めてリッスンを実行する。
【０２８０】
セル再選択が実行されるべきでない場合には、UEは、現在のセルのページングチャネルにおいてページングメッセージを求めてリッスンを実行するか、又はスリープ状態に入り、ページングの時点において目覚め、そして、現在のセルのページングチャネルにおいてページングメッセージを求めてリッスンを実行する。この手法によって、コアネットワークデバイスと基地局との間での少なくとも無線フレーム番号の上記の同期化と相まって、UEが、現在のセルのページングの時点の前に、セル再選択を完了するということが可能な限り保証され、それによって、セル再選択が現在のセルのページングの時点の前に完了する場合であっても、UEが、さらに、新たなセルのページングの時点を逃すという問題をある程度軽減する。
【０２８１】
本発明の実施形態にしたがった技術は、必要な一般的なハードウェアプラットフォームに加えて、ソフトウェアによって実施されてもよいということを当業者なら明確に理解することができる。そのような理解に基づいて、本発明の実施形態における技術的解決法は基本的に、又は従来技術に寄与する部分は、ソフトウェア製品の形態で実施されてもよい。このソフトウェア製品は、ROM/RAM、磁気ディスク、又は光ディスクなどのストレージメディア内に格納され、本発明の実施形態又は実施形態のいくつかの部分において記述されている方法を実行するようコンピュータデバイス(これは、パーソナルコンピュータ、サーバ、ネットワークデバイスなどであってもよい)に指示するためのいくつかの命令を含む。
【０２８２】
本明細書における実施形態はすべて、進展する様式で記述されており、これらの実施形態における同じ又は同様の部分に関しては、これらの実施形態に対して参照が行われることが可能であり、それぞれの実施形態は、その他の実施形態との相違に焦点を合わせている。特に、システム実施形態は、方法実施形態と基本的に同様であり、したがって簡潔に記述されている。関連した部分に関しては、方法実施形態における部分的な説明を参照すべきである。
【０２８３】
上記の説明は、本発明の実装方法であるが、本発明の保護範囲を限定することを意図されているものではない。本発明の趣旨及び原理から逸脱することなく行われたいかなる修正、均等な置換、及び改良も、本発明の保護範囲に属するものとする。
【図１】
0006546291.tif 000002
【図２】
0006546291.tif 000003
【図３】
0006546291.tif 000004
【図４】
0006546291.tif 000005
【図５】
0006546291.tif 000006
【図６】
0006546291.tif 000007
【図７】
0006546291.tif 000008
【図８】
0006546291.tif 000009
【図９】
0006546291.tif 000010
【図１０】
0006546291.tif 000011